(57)【要約】  無線通信技術分野に関し、伝送リンクの類型を確定する方法、システム及び装置を開示し、従来技術におけるＤ２Ｄリンク受信端のＤ２Ｄリンク及びＮ２Ｄリンクにおける送/受信二重化の問題を解決した。本発明の実施例に係る伝送リンクの類型を確定する方法は、Ｄ２Ｄ受信端末がネットワーク側装置へＮ２Ｄリンク上の第１資源占有リクェストを報知し、ネットワーク側装置が前記第１資源占有リクェストを受信した後に、Ｄ２Ｄ受信端末のサブフレームｎにおける伝送リンクの類型を確定するようにし、Ｄ２Ｄ受信端末はサブフレームｎの種類に基づき、または受信したネットワーク側装置からのリンク種類指示情報に基づき、サブフレームにおける伝送リンクの類型を確定し、ここでサブフレームｎはＤ２Ｄサブフレームである。本発明の実施例を用いるとシステムの資源利用率及びシステム性能を高めることができる。【選択図】図3
2016522608.tif 000002
【特許請求の範囲】
【請求項１】
デバイスツーデバイスのＤ２Ｄ受信端末はネットワークツーデバイスの直接通信リンクＮ２Ｄリンク上の第１資源占有リクェストをネットワーク側装置へ報知し、ネットワーク側装置が前記第１資源占有リクェストを受信した後に、Ｄ２Ｄ受信端末のサブフレームｎにおける伝送リンクの類型を確定するようにし、
前記Ｄ２Ｄ受信端末はサブフレームの類型に基づきまたは前記ネットワーク側装置から受信したリンク類型指示情報に基づき、サブフレームｎにおける伝送リンクの類型を確定し、ここでサブフレームｎはＤ２Ｄサブフレームである、
ことを含むことを特徴とする伝送リンクの類型を確定する方法。
【請求項２】
前記Ｄ２Ｄ受信端末はサブフレームｎの類型に基づき、サブフレームｎ上の伝送リンクの類型を確定することは、
もし前記サブフレームｎがネットワークツーデバイスの直接通信リンクＮ２Ｄリンク中の物理下り共有チャネルＰＤＳＣＨ伝送に対応した肯定応答指令ＡＣＫ／エラー応答指令ＮＡＣＫフィードバック情報を伝送する必要があるサブフレームである場合には、前記Ｄ２Ｄ受信端末は予めの設定に基づき、前記サブフレームｎ上の伝送リンクの類型がＤ２ＤリンクまたはＮ２Ｄリンクであると確定する、ことを含むことを特徴とする請求項１記載の伝送リンクの類型を確定する方法。
【請求項３】
前記Ｄ２Ｄ受信端末がサブフレームｎ上の伝送リンクの類型を確定した後に、さらに
前記Ｄ２Ｄ受信端末は前記サブフレームｎ上の伝送リンクの類型がＤ２Ｄリンクであると確定した後に、前記サブフレームｎにおいてＤ２Ｄ伝送を行うか、または
前記Ｄ２Ｄ受信端末は前記サブフレームｎ上の伝送リンクの類型がＮ２Ｄリンクであると確定した後に、前記サブフレームｎにおいてＮ２Ｄリンク中のＰＤＳＣＨ伝送に対応するＡＣＫ／ＮＡＣＫフィードバック情報を伝送する、ことを含むことを特徴とする請求項２記載の伝送リンクの類型を確定する方法。
【請求項４】
前記Ｄ２Ｄ受信端末がサブフレームｎにおいてＤ２Ｄ伝送を行った後に、さらに、前記Ｄ２Ｄ受信端末は前記サブフレームｎの後ろのＮ２Ｄリンク伝送に用いられる上りサブフレームにおいて、Ｎ２Ｄリンク中のＰＤＳＣＨ伝送に対応するＡＣＫ／ＮＡＣＫフィードバック情報を伝送する、ことを含むことを特徴とする請求項２記載の伝送リンクの類型を確定する方法。
【請求項５】
前記リンク類型指示情報はサブフレームｎにおいてＮ２Ｄリンクの物理上り共有チャネルＰＵＳＣＨ伝送を行うと指示するための指示情報であり、
前記Ｄ２Ｄ受信端末がサブフレームｎの類型に基づき、または前記ネットワーク側装置から受信したリンク類型指示情報に基づき、サブフレームｎにおける伝送リンクの類型を確定することは、
前記Ｄ２Ｄ受信端末がサブフレームｎ−ｋにおいてネットワーク側装置からの前記リンク類型指示情報を受信した後に、サブレームｎにおいてＮ２Ｄリンクを伝送すると確定する、ことを含むことを特徴とする請求項１〜４のいずれかの１つに記載の伝送リンクの類型を確定する方法。
【請求項６】
前記Ｄ２Ｄ受信端末が前記サブフレームｎにおいてＮ２Ｄリンクを伝送すると確定した後に、さらに、前記Ｄ２Ｄ受信端末は前記サブフレームｎ上の伝送リンクの類型がＮ２Ｄリンクであると確定した後に、サブフレームｎにおいてＮ２ＤリンクのＰＵＳＣＨ伝送を行う、ことを含むことを特徴とする請求項５記載の伝送リンクの類型を確定する方法。
【請求項７】
ネットワーク側装置はＤ２Ｄ受信端末から報知されたＮ２Ｄリンク上の第１資源占有リクェストに基づき、Ｄ２Ｄ受信端末がＮ２Ｄリンクにおいてデータ伝送リクェストがあると確定し、
前記ネットワーク側装置はＤ２Ｄ受信端末がＮ２Ｄリンクにおいてデータ伝送リクェストがあると確定した後に、Ｄ２Ｄ受信端末のサブフレームｎにおける伝送リンクの類型を確定し、ここでサブフレームｎはＤ２Ｄサブフレームである、ことを含むことを特徴とする伝送リンクの類型を確定する方法。
【請求項８】
前記ネットワーク側装置がＤ２Ｄ受信端末のサブフレームｎにおける伝送リンクの類型を確定することは、前記ネットワーク側装置はサブフレームｎがＤ２Ｄリンク中のＰＤＳＣＨ伝送に対応するＡＣＫ／ＮＡＣＫフィードバック情報を伝送する必要があるサブフレームであると確定した後に、Ｄ２Ｄ受信端末がサブフレームｎにおいてＤ２Ｄリンクを伝送するかあるいはＮ２Ｄリンクを伝送すると確定する、ことを含むことを特徴とする請求項７記載の伝送リンクの類型を確定する方法。
【請求項９】
前記ネットワーク側装置がＤ２Ｄ受信端末のサブフレームｎにおける伝送リンクの類型を確定した後に、さらに、もし前記ネットワーク側装置がＤ２Ｄ受信端末はサブフレームｎにおいてＤ２Ｄリンクを伝送すると確定した場合には、前記ネットワーク側装置は前記サブフレームｎの後ろのＮ２Ｄリンク伝送に用いられる上りサブフレームにおいて、前記Ｄ２Ｄ受信端末からのＮ２Ｄリンク中のＰＤＳＣＨに対応するＡＣＫ／ＮＡＣＫフィードバック情報を受信し、あるいは
もし前記ネットワーク側装置がＤ２Ｄ受信端末はサブフレームｎにおいてＮ２Ｄリンクを伝送すると確定する場合には、前記ネットワーク側装置は前記サブフレームｎにおいて、前記Ｄ２Ｄ受信端末からのＮ２Ｄリンク中のＰＤＳＣＨに対応するＡＣＫ／ＮＡＣＫフィードバック情報を受信する、ことを含むことを特徴とする請求項８記載の伝送リンクの類型を確定する方法。
【請求項１０】
前記ネットワーク側装置がＤ２Ｄ受信端末のサブフレームｎにおける伝送リンクの類型を確定することは、前記ネットワーク側装置は第１資源占有リクェストに基づき、サブフレームｎにおいてＮ２ＤリンクのＰＵＳＣＨ伝送を行う必要があると確定し、前記ネットワーク側装置はサービス優先順位や予めの設定に基づき、前記Ｄ２Ｄ受信端末はサブフレームｎにおいてＮ２Ｄリンクを伝送するかまたはＤ２Ｄリンクを伝送すると確定する、ことを含むことを特徴とする請求項７記載の伝送リンクの類型を確定する方法。
【請求項１１】
前記ネットワーク側装置はサービス優先順位に基づき、前記Ｄ２Ｄ受信端末がサブフレームｎにおいてＮ２Ｄリンクを伝送するかまたはＤ２Ｄリンクを伝送すると確定することは、前記ネットワーク側装置はＮ２ＤリンクのＰＵＳＣＨ伝送サービスに対応する第１優先順位がＤ２Ｄリンク伝送サービスに対応する第２優先順位以上であるか否かを判断し、ここで前記第１優先順位は前記ネットワーク側装置が前記第１資源占有リクェストに基づいて確定したものであり、前記第２優先順位は前記ネットワーク側装置がＤ２Ｄ送信端末から報知されたＤ２Ｄリンク上の第２資源占有リクェストに基づいて確定したものであり、そうであれば、前記Ｄ２Ｄ受信端末がサブフレームｎにおいてＮ２Ｄリンクを伝送すると確定し、そうでなければ、前記Ｄ２Ｄ受信端末がサブフレームにおいてＤ２Ｄリンクを伝送すると確定する、ことを含むことを特徴とする請求項１０記載の伝送リンクの類型を確定する方法。
【請求項１２】
前記ネットワーク側装置がＤ２Ｄ受信端末のサブフレームｎにおける伝送リンクの類型を確定した後に、さらに、もし前記ネットワーク側装置が前記Ｄ２Ｄ受信端末はサブフレームｎにおいてＮ２Ｄリンクを伝送すると確定した場合には、前記ネットワーク側装置はサブフレームｎ-ｋにおいて、前記Ｄ２Ｄ受信端末へサブフレームｎにおいてＮ２ＤリンクのＰＵＳＣＨ伝送を行うと指示するための指示情報を送信する、ことを含むことを特徴とする請求項１０記載の伝送リンクの類型を確定する方法。
【請求項１３】
前記ネットワーク側装置がＤ２Ｄ受信端末のサブフレームｎにおける伝送リンクの類型を確定した後に、さらに、もし前記ネットワーク側装置が前記Ｄ２Ｄ受信端末はサブフレームｎにおいてＮ２Ｄリンクを伝送すると確定した場合には、前記ネットワーク側装置は前記サブフレームｎにおいて前記Ｄ２Ｄ受信端末からのＰＵＳＣＨを受信する、ことを含むことを特徴とする請求項１０〜１２のいずれか１項に記載の伝送リンクの類型を確定する方法。
【請求項１４】
ネットワーク側装置にＮ２Ｄリンクの第１資源占有リクェストを報知し、ネットワーク側装置が前記第１資源占有リクェストを受信した後に、Ｄ２Ｄ受信端末のサブフレームｎにおける伝送リンクの類型を確定させるようにする報知モジュールと、
サブフレームｎの類型に基づきまたは前記ネットワーク側装置から受信したリンク類型の指示情報に基づき、サブフレームｎにおける伝送リンクの類型を確定し、ここでサブフレームｎはＤ２Ｄサブフレームである第１確定モジュールと、
を含むことを特徴とする伝送リンクの類型を確定するＤ２Ｄ受信端末。
【請求項１５】
前記第１確定モジュールは具体的には、もしサブフレームｎがＤ２Ｄリンク中のＰＤＳＣＨ伝送に対応するＡＣＫ／ＮＡＣＫフィードバック情報を伝送する必要のあるサブフレームである場合には、予めの設定により、前記サブフレームｎにおける伝送リンクの類型がＤ２ＤリンクまたはＮ２Ｄリンクであると確定する、ことを特徴とする請求項１４記載のＤ２Ｄ受信端末。
【請求項１６】
前記第１確定モジュールはさらに、前記サブフレームｎ上の伝送リンクの類型がＤ２Ｄリンクであると確定した後に、サブフレームｎにおいてＤ２Ｄ伝送を行い、または、前記サブフレームｎ上の伝送リンクの類型がＮ２Ｄリンクであると確定した後に、サブフレームｎにおいてＮ２Ｄリンク中のＰＤＳＣＨ伝送に対応するＡＣＫ／ＮＡＣＫフィードバック情報を伝送する、ことを特徴とする請求項１５記載のＤ２Ｄ受信端末。
【請求項１７】
前記第１確定モジュールはさらに、サブフレームｎにおいてＤ２Ｄ伝送を行った後に、前記サブフレームｎの後ろのＮ２Ｄリンク伝送に用いられる上りサブフレームにおいて、Ｎ２Ｄ伝送リンク中のＰＤＳＣＨに対応するＡＣＫ／ＮＡＣＫフィードバック情報を伝送する、ことを特徴とする請求項１６記載のＤ２Ｄ受信端末。
【請求項１８】
前記リンク類型の指示情報はサブフレームｎにおいてＮ２Ｄリンクの物理上り共有チャネルＰＵＳＣＨ伝送を行うと指示するための指示情報であり、
前記第１確定モジュールは、サブフレームｎ−ｋにおいてネットワーク側装置からのリンク類型指示情報を受信した後に、サブフレームｎにおいてＮ２Ｄリンクを伝送すると確定する、ことを特徴とする請求項１４〜１７記載のＤ２Ｄ受信端末。
【請求項１９】
前記第１確定モジュールはさらに、前記サブフレームｎにおける伝送リンクの類型がＮ２Ｄリンクであると確定した後に、サブフレームｎにおいてＮ２ＤリンクのＰＵＳＣＨ伝送を行う、ことを特徴とする請求項１８記載のＤ２Ｄ受信端末。
【請求項２０】
Ｄ２Ｄ受信端末から報知されたＮ２Ｄリンクの第１資源占有リクェストに基づき、Ｄ２Ｄ受信端末がＮ２Ｄリンクにおいてデータ伝送リクェストがあると確定する受信モジュールと、
Ｄ２Ｄ受信端末がＮ２Ｄリンクにおいてデータ伝送リクェストがあると確定された後に、Ｄ２Ｄ受信端末のサブフレームｎにおける伝送リンクの類型を確定し、ここでサブフレームｎはＤ２Ｄサブフレームである第２確定モジュールと、
を含むことを特徴とする伝送リンクの類型を確定するネットワーク側装置。
【請求項２１】
前記第２確定モジュールは具体的には、サブフレームｎがＮ２Ｄリンク中ＰＤＳＣＨ伝送に対応するＡＣＫ／ＮＡＣＫフィードバック情報を伝送する必要のあるサブフレームであると確定した後に、Ｄ２Ｄ受信端末がサブフレームｎにおいてＤ２Ｄリンクを伝送するかまたはＮ２Ｄリンクを伝送すると確定する、ことを特徴とする請求項２０記載のネットワーク側装置。
【請求項２２】
前記第２確定モジュールはさらに、もしＤ２Ｄ受信端末がサブフレームｎにおいてＤ２Ｄリンクを伝送すると確定した場合には、サブフレームｎの後ろのＮ２Ｄリンク伝送に用いられる上りサブフレームにおいて、前記Ｄ２Ｄ受信端末からのＮ２Ｄリンク中のＰＤＳＣＨに対応するＡＣＫ／ＮＡＣＫフィードバック情報を受信し、もしＤ２Ｄ受信端末がサブフレームｎにおいてＮ２Ｄリンクを伝送すると確定した場合には、前記サブフレームｎにおいて、前記Ｄ２Ｄ受信端末からのＮ２Ｄリンク中のＰＤＳＣＨに対応するＡＣＫ／ＮＡＣＫフィードバック情報を受信する、ことを特徴とする請求項２１記載のネットワーク側装置。
【請求項２３】
前記第２確定モジュールは、第１資源占有リクェストに基づき、サブフレームｎはＮ２ＤリンクのＰＵＳＣＨ伝送を行う必要があると確定し、サービス優先順位または予めの設定に基づき、前記Ｄ２Ｄ受信端末がサブフレームｎにおいてＮ２Ｄリンクを伝送するかまたはＤ２Ｄリンクを伝送すると確定する、ことを特徴とする請求項２0記載のネットワーク側装置。
【請求項２４】
前記第２確定モジュールは、Ｎ２ＤリンクのＰＵＳＣＨ伝送サービスに対応する第１優先順位がＤ２Ｄリンク伝送サービスに対応する第２優先順位以上であるか否かを判断し、ここで前記第１優先順位は前記ネットワーク側装置が前記第１資源占有リクェストに基づいて確定したものであり、前記第２優先順位は前記ネットワーク側装置がＤ２Ｄ送信端末から報知されたＤ２Ｄリンク上の第２資源占有リクェストに基づいて確定したものであり、そうである場合には、前記Ｄ２Ｄ受信端末はサブフレームｎにおいてＮ２Ｄリンクを伝送すると確定し、そうでない場合には、前記Ｄ２Ｄ受信端末がサブフレームｎにおいてＤ２Ｄリンクを伝送すると確定する、ことを特徴とする請求項２３記載のネットワーク側装置。
【請求項２５】
前記第２確定モジュールはさらに、前記Ｄ２Ｄ受信端末がサブフレームｎにおいてＮ２Ｄリンクを伝送すると確定した場合には、サブフレームｎ−ｋにおいて前記Ｄ２Ｄ受信端末へ、サブフレームｎにおいてＮ２ＤリンクのＰＵＳＣＨ伝送を行うと指示するための指示情報を送信する、ことを特徴とする請求項２３記載のネットワーク側装置。
【請求項２６】
前記第２確定モジュールはさらに、前記Ｄ２Ｄ受信端末がサブフレームｎにおいてＮ２Ｄリンクを伝送すると確定した場合には、前記サブフレームｎにおいて前記Ｄ２Ｄ受信端末からのＰＵＳＣＨを受信する、ことを特徴とする請求項２３〜２５記載のネットワーク側装置。
【請求項２７】
ネットワーク側装置へＮ２Ｄリンク上の第１資源占有リクェストを報知し、サブフレームｎの類型に基づきあるいは受信した前記リンク類型指示情報に基づき、フレームｎにおける伝送リンクの類型を確定し、ここでサブフレームｎはＤ２Ｄサブフレームである、Ｄ２Ｄ受信端末と、
Ｄ２Ｄ受信端末から報知されたＮ２Ｄリンク上の第１資源占有リクェストに基づき、Ｄ２Ｄ受信端末がＮ２Ｄリンクにおいてデータ伝送リクェストがあると確定し、Ｄ２Ｄ受信端末がＮ２Ｄリンクにおいてデータ伝送リクェストがあると確定された後に、Ｄ２Ｄ受信端末のサブフレームｎにおける伝送リンクの類型を確定するネットワーク側装置と、
を含むことを特徴とする伝送リンクの類型を確定するシステム。
【発明の詳細な説明】
【技術分野】
【０００１】
本発明は無線通信技術分野に関し、特に伝送リンクの類型を確定する方法、システム及び装置に関する。
【背景技術】
【０００２】
本出願は、２０１３年４月２８日に中国特許局に提出し、出願番号が201310156024.1であり、発明名称が「伝送リンクの類型を確定する方法、システム及び装置」との中国特許出願を基礎とする優先権を主張し、その開示の総てをここに取り込む。
従来のセルラ通信技術では、２つのユーザ端末間のデータ通信の流れは図１に示すようであり、２つのユーザ端末の音声やデータなどのサービスはそれぞれ駐留の進化基地局（ｅＮＢ）及びコアネットワークを通じてインタラクションを行う。
【０００３】
デバイスツーデバイス（Ｄｅｖｉｃｅ-ｔｏ-Ｄｅｖｉｃｅ、Ｄ２Ｄ）技術、すなわち装置と装置との間の直接通信技術とは、隣接のユーザ端末が近距離範囲で直結リンクによりデータ伝送を行うことができる方式を指し、センタノード（すなわち基地局）による転送を必要とせず、図2に示すようである。Ｄ２Ｄ技術自体の近距離通信特徴及び直接通信方式はそれに対し下記の利点をもたらす。
【０００４】
ユーザ端末の近距離直接通信方式は高いデータレート、低遅延及び低消費電力を実現することができる。
【０００５】
ネットワークに広く分布してあるユーザ端末及びＤ２Ｄ通信リンクの近距離特徴を利用し、スペクトル資源の有効利用を実現することができる。
【０００６】
Ｄ２Ｄの直接通信方式は、無線ペアツーペア（Ｐｅｅｒ ｔｏ Ｐｅｅｒ、Ｐ２Ｐ）などのサービスのローカルデータ共有ニーズに適応することができ、柔軟な対応能力を有するデータサービスを提供する。
【０００７】
Ｄ２Ｄ直接通信はネットワーク中の数が膨大で分布が広範囲の通信ユーザ端末を利用してネットワークのカバー範囲を拡大することができる。
【０００８】
ＬＴＥ  Ｄ２Ｄ技術とは長期的進化（ＬｏｎｇＴｅｒｍＥｖｏｌｕｔｉｏｎ、ＬＴＥ）許可バンド上で行われかつＬＴＥネットワークの制御をうけるＤ２Ｄ通信を指す。Ｄ２Ｄ技術の利点を十分に発揮することができながら、またＬＴＥネットワークの制御は従来Ｄ２Ｄ技術における一部の問題、例えば干渉制御不能等も克服することができる。ＬＴＥ  Ｄ２Ｄ特徴の導入はＬＴＥ技術を単純な無線モバイルセルラ通信技術から「ユニバーサル接続技術」（Ｕｎｉｖｅｒｓａｌ Ｃｏｎｎｅｃｔｉｖｉｔｙ Ｔｅｃｈｎｏｌｏｇｙ）の方向に向かって進化させるだろう。
【０００９】
上りサブフレーム/上り搬送波にとって、Ｄ２Ｄリンクの送信端は現在のＤ２ＤサブフレームにおいてＮ２Ｄリンク及びＤ２Ｄリンク上の送信を同時に行うことができ、従ってＤ２ＤリンクとＮ２Ｄリンクの送/受信二重化の問題が存在しない。Ｄ２Ｄリンクの受信端は現在のＤ２ＤサブフレームにおいてＮ２Ｄリンク及びＤ２Ｄリンク上の送信を同時に行うことができないため、Ｄ２Ｄリンクの受信端にとって、Ｄ２ＤリンクとＮ２Ｄリンクの送/受信二重化の問題がある。
【００１０】
以上説明したように、Ｄ２Ｄリンクの受信端はＤ２Ｄリンク及びＮ２Ｄリンクの送/受信二重化の問題がある。
【発明の概要】
【発明が解決しようとする課題】
【００１１】
本発明は伝送リンクの類型を確定する方法、システム及び装置を提供することにより、従来技術に存在したＤ２Ｄリンクの受信端のＤ２Ｄリンク及びＮ２Ｄリンクにおける送/受信二重化の問題を解決する。
【課題を解決するための手段】
【００１２】
第１の形態において、伝送リンクの類型を確定する方法は、デバイスツーデバイスのＤ２Ｄ受信端末はネットワークツーデバイスの直接通信リンクＮ２Ｄリンク上の第１資源占有リクェストをネットワーク側装置へ報知し、ネットワーク側装置が前記第１資源占有リクェストを受信した後に、Ｄ２Ｄ受信端末のサブフレームｎにおける伝送リンクの類型を確定するようにし、前記Ｄ２Ｄ受信端末はサブフレームの類型に基づきまたは前記ネットワーク側装置から受信したリンク類型指示情報に基づき、サブフレームｎにおける伝送リンクの類型を確定し、ここでサブフレームｎはＤ２Ｄサブフレームである、ことを含む。
【００１３】
Ｄ２Ｄ受信端末及びネットワーク側装置はそれぞれＤ２Ｄサブフレームにおける伝送リンクの類型を確定するため、Ｄ２Ｄ受信装置がＤ２Ｄリンク及びＮ２Ｄリンクの送/受信を行う必要がある際に、確定されたＤ２Ｄサブフレームにおける伝送リンクの類型に基づき伝送方式を確定することができ、Ｄ２Ｄリンクの受信端のＤ２Ｄリンク及びＮ２Ｄリンクにおける送/受信二重化を解決する案を提供し、システムの資源利用率及びシステム性能を高める。
【００１４】
第１の形態を結合し、第１種の可能な実施方法において、前記Ｄ２Ｄ受信端末はサブフレームｎの類型に基づき、サブフレームｎ上の伝送リンクの類型を確定することは、もし前記サブフレームｎがネットワークツーデバイスの直接通信リンクＮ２Ｄリンク中の物理下り共有チャネルＰＤＳＣＨ伝送に対応した肯定応答指令ＡＣＫ／エラー応答指令ＮＡＣＫフィードバック情報を伝送する必要があるサブフレームである場合には、前記Ｄ２Ｄ受信端末は予めの設定に基づき、前記サブフレームｎ上の伝送リンクの類型がＤ２ＤリンクまたはＮ２Ｄリンクであると確定する、ことを含む。
【００１５】
第１の形態の第１種の可能な実施方法を結合し、第２種の可能な実施方法において、前記Ｄ２Ｄ受信端末がサブフレームｎ上の伝送リンクの類型を確定した後に、さらに前記Ｄ２Ｄ受信端末は前記サブフレームｎ上の伝送リンクの類型がＤ２Ｄリンクであると確定した後に、前記サブフレームｎにおいてＤ２Ｄ伝送を行うか、または前記Ｄ２Ｄ受信端末は前記サブフレームｎ上の伝送リンクの類型がＮ２Ｄリンクであると確定した後に、前記サブフレームｎにおいてＮ２Ｄリンク中のＰＤＳＣＨ伝送に対応するＡＣＫ／ＮＡＣＫフィードバック情報を伝送する、ことを含む。
【００１６】
第１の形態の第２種の可能な実施方法を結合し、第３種の可能な実施方法において、前記Ｄ２Ｄ受信端末がサブフレームｎにおいてＤ２Ｄ伝送を行った後に、さらに前記Ｄ２Ｄ受信端末は前記サブフレームｎの後ろのＮ２Ｄリンク伝送に用いられる上りサブフレームにおいて、Ｎ２Ｄリンク中のＰＤＳＣＨ伝送に対応するＡＣＫ／ＮＡＣＫフィードバック情報を伝送する、ことを含む。
【００１７】
第１の形態または第１の形態の上記入れずかの可能な実施方法を結合し、第４種の可能な実施方法において、前記リンク類型指示情報はサブフレームｎにおいてＮ２Ｄリンクの物理上り共有チャネルＰＵＳＣＨ伝送を行うと指示するための指示情報であり、前記Ｄ２Ｄ受信端末がサブフレームｎの類型に基づき、または前記ネットワーク側装置から受信したリンク類型指示情報に基づき、サブフレームｎにおける伝送リンクの類型を確定することは、前記Ｄ２Ｄ受信端末がサブフレームｎ−ｋにおいてネットワーク側装置からの前記リンク類型指示情報を受信した後に、サブレームｎにおいてＮ２Ｄリンクを伝送すると確定する、ことを含む。
【００１８】
第１の形態の第４の可能な実施方法を結合し、第５種の可能な実施方法において、前記Ｄ２Ｄ受信端末が前記サブフレームｎにおいてＮ２Ｄリンクを伝送すると確定した後に、さらに、前記Ｄ２Ｄ受信端末は前記サブフレームｎ上の伝送リンクの類型がＮ２Ｄリンクであると確定した後に、サブフレームｎにおいてＮ２ＤリンクのＰＵＳＣＨ伝送を行う、ことを含む。
【００１９】
第２の形態のもう１種の伝送リンクの類型を確定する方法は、ネットワーク側装置はＤ２Ｄ受信端末から報知されたＮ２Ｄリンク上の第１資源占有リクェストに基づき、Ｄ２Ｄ受信端末がＮ２Ｄリンクにおいてデータ伝送リクェストがあると確定し、前記ネットワーク側装置はＤ２Ｄ受信端末がＮ２Ｄリンクにおいてデータ伝送リクェストがあると確定した後に、Ｄ２Ｄ受信端末のサブフレームｎにおける伝送リンクの類型を確定し、ここでサブフレームｎはＤ２Ｄサブフレームである、ことを含む。
【００２０】
Ｄ２Ｄ受信端末及びネットワーク側装置はそれぞれＤ２Ｄサブフレームにおける伝送リンクの類型を確定するため、Ｄ２Ｄ受信装置がＤ２Ｄリンク及びＮ２Ｄリンクの送/受信を行う必要がある際に、確定されたＤ２Ｄサブフレームにおける伝送リンクの類型に基づき伝送方式を確定することができ、Ｄ２Ｄリンクの受信端のＤ２Ｄリンク及びＮ２Ｄリンクにおける送/受信二重化を解決する案を提供し、システムの資源利用率及びシステム性能を高める。
【００２１】
第２の形態を結合し、第１種の可能な実施方法において、前記ネットワーク側装置がＤ２Ｄ受信端末のサブフレームｎにおける伝送リンクの類型を確定することは、前記ネットワーク側装置はサブフレームｎがＤ２Ｄリンク中のＰＤＳＣＨ伝送に対応するＡＣＫ／ＮＡＣＫフィードバック情報を伝送する必要があるサブフレームであると確定した後に、Ｄ２Ｄ受信端末がサブフレームｎにおいてＤ２Ｄリンクを伝送するかあるいはＮ２Ｄリンクを伝送すると確定する、ことを含む。
【００２２】
第２の形態の第１種の可能な実施方法を結合し、第２種の可能な実施方法において、前記ネットワーク側装置がＤ２Ｄ受信端末のサブフレームｎにおける伝送リンクの類型を確定した後に、さらに、もし前記ネットワーク側装置がＤ２Ｄ受信端末はサブフレームｎにおいてＤ２Ｄリンクを伝送すると確定した場合には、前記ネットワーク側装置は前記サブフレームｎの後ろのＮ２Ｄリンク伝送に用いられる上りサブフレームにおいて、前記Ｄ２Ｄ受信端末からのＮ２Ｄリンク中のＰＤＳＣＨに対応するＡＣＫ／ＮＡＣＫフィードバック情報を受信し、あるいはもし前記ネットワーク側装置がＤ２Ｄ受信端末はサブフレームｎにおいてＮ２Ｄリンクを伝送すると確定する場合には、前記ネットワーク側装置は前記サブフレームｎにおいて、前記Ｄ２Ｄ受信端末からのＮ２Ｄリンク中のＰＤＳＣＨに対応するＡＣＫ／ＮＡＣＫフィードバック情報を受信する、ことを含む。
【００２３】
第２の形態の第３種の可能な実施方法において、前記ネットワーク側装置がＤ２Ｄ受信端末のサブフレームｎにおける伝送リンクの類型を確定することは、前記ネットワーク側装置は第１資源占有リクェストに基づき、サブフレームｎにおいてＮ２ＤリンクのＰＵＳＣＨ伝送を行う必要があると確定し、前記ネットワーク側装置はサービス優先順位や予めの設定に基づき、前記Ｄ２Ｄ受信端末はサブフレームｎにおいてＮ２Ｄリンクを伝送するかまたはＤ２Ｄリンクを伝送すると確定する、ことを含む。
【００２４】
第２の形態の第３種の可能な実施方法を結合し、第４種の可能な実施方法において、前記ネットワーク側装置はサービス優先順位に基づき、前記Ｄ２Ｄ受信端末がサブフレームｎにおいてＮ２Ｄリンクを伝送するかまたはＤ２Ｄリンクを伝送すると確定することは、前記ネットワーク側装置はＮ２ＤリンクのＰＵＳＣＨ伝送サービスに対応する第１優先順位がＤ２Ｄリンク伝送サービスに対応する第２優先順位以上であるか否かを判断し、ここで前記第１優先順位は前記ネットワーク側装置が前記第１資源占有リクェストに基づいて確定したものであり、前記第２優先順位は前記ネットワーク側装置がＤ２Ｄ送信端末から報知されたＤ２Ｄリンク上の第２資源占有リクェストに基づいて確定したものであり、そうであれば、前記Ｄ２Ｄ受信端末がサブフレームｎにおいてＮ２Ｄリンクを伝送すると確定し、そうでなければ、前記Ｄ２Ｄ受信端末がサブフレームにおいてＤ２Ｄリンクを伝送すると確定する、ことを含む。
【００２５】
第２の形態の第３種の可能な実施方法を結合し、第５種の可能な実施方法において、前記ネットワーク側装置がＤ２Ｄ受信端末のサブフレームｎにおける伝送リンクの類型を確定した後に、さらに、もし前記ネットワーク側装置が前記Ｄ２Ｄ受信端末はサブフレームｎにおいてＮ２Ｄリンクを伝送すると確定した場合には、前記ネットワーク側装置はサブフレームｎ-ｋにおいて、前記Ｄ２Ｄ受信端末へサブフレームｎにおいてＮ２ＤリンクのＰＵＳＣＨ伝送を行うと指示するための指示情報を送信する、ことを含む。
【００２６】
第２の形態の第３種〜第５種の可能な実施方法のいずれかを結合し、第６種の可能な実施方法において、前記ネットワーク側装置がＤ２Ｄ受信端末のサブフレームｎにおける伝送リンクの類型を確定した後に、さらに、もし前記ネットワーク側装置が前記Ｄ２Ｄ受信端末はサブフレームｎにおいてＮ２Ｄリンクを伝送すると確定した場合には、前記ネットワーク側装置は前記サブフレームｎにおいて前記Ｄ２Ｄ受信端末からのＰＵＳＣＨを受信する、ことを含む。
【００２７】
第３の形態において、伝送リンクの類型を確定するＤ２Ｄ受信端末は、ネットワーク側装置にＮ２Ｄリンクの第１資源占有リクェストを報知し、ネットワーク側装置が前記第１資源占有リクェストを受信した後に、Ｄ２Ｄ受信端末のサブフレームｎにおける伝送リンクの類型を確定させるようにする報知モジュールと、サブフレームｎの類型に基づきまたは前記ネットワーク側装置から受信したリンク類型の指示情報に基づき、サブフレームｎにおける伝送リンクの類型を確定し、ここでサブフレームｎはＤ２Ｄサブフレームである第１確定モジュールと、を含む。
【００２８】
Ｄ２Ｄ受信端末及びネットワーク側装置はそれぞれＤ２Ｄサブフレームにおける伝送リンクの類型を確定するため、Ｄ２Ｄ受信装置がＤ２Ｄリンク及びＮ２Ｄリンクの送/受信を行う必要がある際に、確定されたＤ２Ｄサブフレームにおける伝送リンクの類型に基づき伝送方式を確定することができ、Ｄ２Ｄリンクの受信端のＤ２Ｄリンク及びＮ２Ｄリンクにおける送/受信二重化を解決する案を提供し、システムの資源利用率及びシステム性能を高める。
【００２９】
第３の形態を結合し、第１種の可能な実施方法において、前記第１確定モジュールは、もしサブフレームｎがＤ２Ｄリンク中のＰＤＳＣＨ伝送に対応するＡＣＫ／ＮＡＣＫフィードバック情報を伝送する必要のあるサブフレームである場合には、予めの設定により、前記サブフレームｎにおける伝送リンクの類型がＤ２ＤリンクまたはＮ２Ｄリンクであると確定する。
【００３０】
第３の形態の第１種の可能な実施方法を結合し、第２種の可能な実施方法において、前記第１確定モジュールはさらに、前記サブフレームｎ上の伝送リンクの類型がＤ２Ｄリンクであると確定した後に、サブフレームｎにおいてＤ２Ｄ伝送を行い、または、前記サブフレームｎ上の伝送リンクの類型がＮ２Ｄリンクであると確定した後に、サブフレームｎにおいてＮ２Ｄリンク中のＰＤＳＣＨ伝送に対応するＡＣＫ／ＮＡＣＫフィードバック情報を伝送する。
【００３１】
第３の形態の第２種の可能な実施方法を結合し、第３種の可能な実施方法において、サブフレームｎにおいてＤ２Ｄ伝送を行った後に、前記サブフレームｎの後ろのＮ２Ｄリンク伝送に用いられる上りサブフレームにおいて、Ｎ２Ｄ伝送リンク中のＰＤＳＣＨに対応するＡＣＫ／ＮＡＣＫフィードバック情報を伝送する。
【００３２】
第３の形態の第３種の可能な実施方法を結合し、第４種の可能な実施方法において、前記リンク類型の指示情報はサブフレームｎにおいてＮ２Ｄリンクの物理上り共有チャネルＰＵＳＣＨ伝送を行うと指示するための指示情報であり、前記第１確定モジュールは、サブフレームｎ−ｋにおいてネットワーク側装置からのリンク類型指示情報を受信した後に、サブフレームｎにおいてＮ２Ｄリンクを伝送すると確定する。
【００３３】
第３の形態の第４種の可能な実施方法を結合し、第５種の可能な実施方法において、前記第１確定モジュールはさらに、前記サブフレームｎにおける伝送リンクの類型がＮ２Ｄリンクであると確定した後に、サブフレームｎにおいてＮ２ＤリンクのＰＵＳＣＨ伝送を行う。
【００３４】
第４の形態において、伝送リンクの類型を確定するネットワーク側装置は、Ｄ２Ｄ受信端末から報知されたＮ２Ｄリンクの第１資源占有リクェストに基づき、Ｄ２Ｄ受信端末がＮ２Ｄリンクにおいてデータ伝送リクェストがあると確定する受信モジュールと、Ｄ２Ｄ受信端末がＮ２Ｄリンクにおいてデータ伝送リクェストがあると確定された後に、Ｄ２Ｄ受信端末のサブフレームｎにおける伝送リンクの類型を確定し、ここでサブフレームｎはＤ２Ｄサブフレームである第２確定モジュールと、含む。
【００３５】
Ｄ２Ｄ受信端末及びネットワーク側装置はそれぞれＤ２Ｄサブフレームにおける伝送リンクの類型を確定するため、Ｄ２Ｄ受信装置がＤ２Ｄリンク及びＮ２Ｄリンクの送/受信を行う必要がある際に、確定されたＤ２Ｄサブフレームにおける伝送リンクの類型に基づき伝送方式を確定することができ、Ｄ２Ｄリンクの受信端のＤ２Ｄリンク及びＮ２Ｄリンクにおける送/受信二重化を解決する案を提供し、システムの資源利用率及びシステム性能を高める。
【００３６】
第４の形態を結合し、第１種の可能な実施方法において、前記第２確定モジュールは、サブフレームｎがＮ２Ｄリンク中ＰＤＳＣＨ伝送に対応するＡＣＫ／ＮＡＣＫフィードバック情報を伝送する必要のあるサブフレームであると確定した後に、Ｄ２Ｄ受信端末がサブフレームｎにおいてＤ２Ｄリンクを伝送するかまたはＮ２Ｄリンクを伝送すると確定する。
【００３７】
第４の形態の第１種の可能な実施方法を結合し、第２種の可能な実施方法において、前記第２確定モジュールはさらに、もしＤ２Ｄ受信端末がサブフレームｎにおいてＤ２Ｄリンクを伝送すると確定した場合には、サブフレームｎの後ろのＮ２Ｄリンク伝送に用いられる上りサブフレームにおいて、前記Ｄ２Ｄ受信端末からのＮ２Ｄリンク中のＰＤＳＣＨに対応するＡＣＫ／ＮＡＣＫフィードバック情報を受信し、もしＤ２Ｄ受信端末がサブフレームｎにおいてＮ２Ｄリンクを伝送すると確定した場合には、前記サブフレームｎにおいて、前記Ｄ２Ｄ受信端末からのＮ２Ｄリンク中のＰＤＳＣＨに対応するＡＣＫ／ＮＡＣＫフィードバック情報を受信する。
【００３８】
第４の形態を結合し、第３種の可能な実施方法において、第１資源占有リクェストに基づき、サブフレームｎはＮ２ＤリンクのＰＵＳＣＨ伝送を行う必要があると確定し、サービス優先順位または予めの設定に基づき、前記Ｄ２Ｄ受信端末がサブフレームｎにおいてＮ２Ｄリンクを伝送するかまたはＤ２Ｄリンクを伝送すると確定する。
【００３９】
第４の形態の第３種の可能な実施方法を結合し、第４種の可能な実施方法において、前記第２確定モジュールは具体的には、Ｎ２ＤリンクのＰＵＳＣＨ伝送サービスに対応する第１優先順位がＤ２Ｄリンク伝送サービスに対応する第２優先順位以上であるか否かを判断し、ここで前記第１優先順位は前記ネットワーク側装置が前記第１資源占有リクェストに基づいて確定したものであり、前記第２優先順位は前記ネットワーク側装置がＤ２Ｄ送信端末から報知されたＤ２Ｄリンク上の第２資源占有リクェストに基づいて確定したものであり、そうである場合には、前記Ｄ２Ｄ受信端末はサブフレームｎにおいてＮ２Ｄリンクを伝送すると確定し、そうでない場合には、前記Ｄ２Ｄ受信端末がサブフレームｎにおいてＤ２Ｄリンクを伝送すると確定する。
【００４０】
第４の形態の第３種の可能な実施方法を結合し、第５種の可能な実施方法において、前記第２確定モジュールはさらに、前記Ｄ２Ｄ受信端末がサブフレームｎにおいてＮ２Ｄリンクを伝送すると確定した場合には、サブフレームｎ−ｋにおいて前記Ｄ２Ｄ受信端末へ、サブフレームｎにおいてＮ２ＤリンクのＰＵＳＣＨ伝送を行うと指示するための指示情報を送信する。
【００４１】
第４の形態または第４の形態の上記いずれかの可能な実施方法を結合し、第６種の可能な実施方法において、前記第２確定モジュールはさらに、前記Ｄ２Ｄ受信端末がサブフレームｎにおいてＮ２Ｄリンクを伝送すると確定した場合には、前記サブフレームｎにおいて前記Ｄ２Ｄ受信端末からのＰＵＳＣＨを受信する。
【００４２】
第５の形態において、伝送リンクの類型を確定するＤ２Ｄ受信端末は、ネットワーク側装置へＮ２Ｄリンクの第１資源占有リクェストを報知し、ネットワーク側装置が第１資源占有リクェストを受けた後に、Ｄ２Ｄ受信端末のサブフレームｎにおける伝送リンクの類型を確定するようにする送信ポートと、サブフレームｎの類型に基づきまたは受信したネットワーク側装置からのリンク類型指示情報に基づき、サブフレームｎにおける伝送リンクの類型を確定し、ここでサブフレームｎはＤ２Ｄサブフレームである第１プロセッサと、を含む。
【００４３】
Ｄ２Ｄ受信端末及びネットワーク側装置はそれぞれＤ２Ｄサブフレームにおける伝送リンクの類型を確定するため、Ｄ２Ｄ受信装置がＤ２Ｄリンク及びＮ２Ｄリンクの送/受信を行う必要がある際に、確定されたＤ２Ｄサブフレームにおける伝送リンクの類型に基づき伝送方式を確定することができ、Ｄ２Ｄリンクの受信端のＤ２Ｄリンク及びＮ２Ｄリンクにおける送/受信二重化を解決する案を提供し、システムの資源利用率及びシステム性能を高める。
【００４４】
第５の形態を結合し、第１種の可能な実施方法において、前記第１プロセッサは具体的には、サブフレームｎがＮ２ＤリンクのＰＤＳＣＨ伝送に対応するＡＣＫ／ＮＡＣＫフィードバック情報を伝送するサブフレームである場合には、予めの設定に基づき、サブフレームｎにおける伝送リンクの類型がＤ２ＤリンクまたはＮ２Ｄリンクであると確定する。
【００４５】
第５の形態の第１種の可能な実施方法を結合し、第２種の可能な実施方法において、前記第１プロセッサはさらに、サブフレームｎにおける伝送リンクの類型がＤ２Ｄリンクであると確定した後に、サブフレームｎにおいてＤ２Ｄ伝送を行い、または、サブフレームｎにおける伝送リンクの類型がＮ２Ｄリンクであると確定した後に、サブフレームｎにおいてＮ２Ｄリンク中のＰＤＳＣＨ伝送に対応するＡＣＫ／ＮＡＣＫフィードバック情報を伝送する。
【００４６】
第５の形態の第２種の可能な実施方法を結合し、第３種の可能な実施方法において、前記第１プロセッサはさらに、サブフレームｎにおいてＤ２Ｄ伝送を行った後に、サブフレームｎの後ろのＮ２Ｄリンク伝送に用いられる上りサブフレームにおいて、Ｎ２Ｄリンク中のＰＤＳＣＨに対応するＡＣＫ／ＮＡＣＫフィードバック情報を伝送する。
【００４７】
第５の形態または第５の形態の上記いずれかの可能な実施方法を結合し、第４種の可能な実施方法において、前記リンク類型の指示情報は、サブフレームｎにおいてＮ２Ｄリンクの物理上り共有チャネルＰＵＳＣＨ伝送を行うと指示するための指示情報であり、前記第１プロセッサは具体的には、サブフレームｎ−ｋがネットワーク側装置からのリンク類型指示情報を受信した後に、サブフレームｎにおいてＮ２Ｄリンクを伝送すると確定する。
【００４８】
第５の形態または第４種の可能な実施方法を結合し、第５種の可能な実施方法において、前記第１プロセッサはさらに、サブフレームｎにおける伝送リンクの類型がＮ２Ｄリンクであると確定した後に、サブフレームｎにおいてＮ２ＤリンクのＰＵＳＣＨ伝送を行う。
【００４９】
第６の形態において、伝送リンクの類型を確定するネットワーク側装置は、Ｄ２Ｄ受信端末から報知されたＮ２Ｄリンク上の第１資源占有リクェストに基づき、Ｄ２Ｄ受信端末がＮ２Ｄリンクにおいてデータ伝送リクェストがあると確定する受信ポートと、Ｄ２Ｄ受信端末がＮ２Ｄリンク上でデータ伝送リクェストがあると確定された後に、Ｄ２Ｄ受信端末のサブフレームｎにおける伝送リンクの類型を確定し、ここでサブフレームｎはＤ２Ｄサブフレームである第２のプロセッサと、含む。
【００５０】
Ｄ２Ｄ受信端末及びネットワーク側装置はそれぞれＤ２Ｄサブフレームにおける伝送リンクの類型を確定するため、Ｄ２Ｄ受信装置がＤ２Ｄリンク及びＮ２Ｄリンクの送/受信を行う必要がある際に、確定されたＤ２Ｄサブフレームにおける伝送リンクの類型に基づき伝送方式を確定することができ、Ｄ２Ｄリンクの受信端のＤ２Ｄリンク及びＮ２Ｄリンクにおける送/受信二重化を解決する案を提供し、システムの資源利用率及びシステム性能を高める。
【００５１】
第６の形態を結合し、第１種の可能な実施方法において、前記第２プロセッサは具体的には、サブフレームｎがＤ２Ｄリンク中のＰＤＳＣＨ伝送に対応するＡＣＫ／ＮＡＣＫフィードバック情報を伝送する必要のあるサブフレームであると確定された後、Ｄ２Ｄ受信端末はサブフレームｎにおいてＤ２Ｄリンクを伝送するかまたはＮ２Ｄリンクを伝送すると確定する。
【００５２】
第６の形態の第１種の可能な実施方法を結合し、第２種の可能な実施方法において、前記第２プロセッサはさらに、Ｄ２Ｄ受信端末がサブフレームｎにおいてＤ２Ｄリンクを伝送すると確定した場合には、サブフレームｎの後ろのＮ２Ｄリンク伝送に用いられる上りサブフレームにおいて、Ｄ２Ｄ受信端末からのＮ２Ｄリンク中のＰＤＳＣＨに対応するＡＣＫ／ＮＡＣＫフィードバック情報を受信し、または、Ｄ２Ｄ受信端末がサブフレームｎにおいてＮ２Ｄリンクを伝送すると確定した場合には、サブフレームｎにおいて、Ｄ２Ｄ受信端末からのＮ２Ｄリンク中のＰＤＳＣＨに対応するＡＣＫ／ＮＡＣＫフィードバック情報を受信する。
【００５３】
第６の形態を結合し、第３種の可能な実施方法において、前記第２プロセッサは具体的には、第１資源占有リクェストに基づき、サブフレームｎがＮ２ＤリンクのＰＵＳＣＨ伝送を行わなければならないと確定し、サービス優先順位や予めの設定に基づき、Ｄ２Ｄ受信端末がサブフレームｎにおいてＮ２Ｄリンクを伝送するかまたはＤ２Ｄリンクを伝送すると確定する。
【００５４】
第６の形態の第３種の可能な実施方法を結合し、第４種の可能な実施方法において、前記第２プロセッサは具体的には、Ｎ２ＤリンクのＰＵＳＣＨ伝送サービスに対応する第１優先順位がＤ２Ｄリンク伝送サービスに対応する第２優先順位以上であるか否かを判断し、ここで第１優先順位は前記ネットワーク側装置が前記第１資源占有リクェストに基づいて確定したものであり、前記第２優先順位は前記ネットワーク側装置がＤ２Ｄ送信端末から報知されたＤ２Ｄリンク上の第２資源占有リクェストに基づいて確定したものであり、そうであれば、Ｄ２Ｄ受信端末がサブフレームｎにおいてＮ２Ｄリンクを伝送すると確定し、そうでなければ、Ｄ２Ｄ受信端末がサブフレームにおいてＤ２Ｄリンクを伝送すると確定する。
【００５５】
第６の形態の第３種の可能な実施方法を結合し、第５種の可能な実施方法において、前記第２プロセッサはさらに、Ｄ２Ｄ受信端末がサブフレームｎにおいてＮ２Ｄリンクを伝送すると確定した場合には、サブフレームｎ−ｋにおいて、サブフレームｎにおいてＮ２ＤリンクのＰＵＳＣＨ伝送を行うと指示するための指示情報を前記Ｄ２Ｄ受信端末へ送信する。
【００５６】
第６の形態または第６の形態の上記いずれかの可能な実施方法を結合し、第６種の可能な実施方法において、前記第２プロセッサはさらに、前記Ｄ２Ｄ受信端末がサブフレームｎにおいてＮ２Ｄリンクを伝送すると確定した場合には、前記サブフレームｎにおいて前記Ｄ２Ｄ受信端末からのＰＵＳＣＨを受信する。
【００５７】
第７の形態において、伝送リンクの類型を確定するシステムは、ネットワーク側装置へＮ２Ｄリンク上の第１資源占有リクェストを報知するＤ２Ｄ受信端末と、Ｄ２Ｄ受信端末から報知されたＮ２Ｄリンク上の第１資源占有リクェストに基づき、Ｄ２Ｄ受信端末がＮ２Ｄリンクにおいてデータ伝送リクェストがあると確定し、Ｄ２Ｄ受信端末がＮ２Ｄリンクにおいてデータ伝送リクェストがあると確定された後に、Ｄ２Ｄ受信端末のサブフレームｎにおける伝送リンクの類型を確定するネットワーク側装置と、を含む。
【００５８】
Ｄ２Ｄ受信端末及びネットワーク側装置はそれぞれＤ２Ｄサブフレームにおける伝送リンクの類型を確定するため、Ｄ２Ｄ受信装置がＤ２Ｄリンク及びＮ２Ｄリンクの送/受信を行う必要がある際に、確定されたＤ２Ｄサブフレームにおける伝送リンクの類型に基づき伝送方式を確定することができ、Ｄ２Ｄリンクの受信端のＤ２Ｄリンク及びＮ２Ｄリンクにおける送/受信二重化を解決する案を提供し、システムの資源利用率及びシステム性能を高める。
【図面の簡単な説明】
【００５９】
【図１Ａ】従来技術に係るセルラネットワークユーザ端末間の通信データのフローを示す図
【図１Ｂ】従来技術に係るユーザ端末間の直結通信のデータフローを示す図
【図２】本発明の実施例に係るユーザ端末の直結通信を示す図
【図３】本発明の実施例に係るユーザ端末が伝送リンクの類型を確定する方法を示すフロー図
【図４】本発明の実施例に係るネットワーク側装置が伝送リンクの類型を確定する方法を示すフロー図
【図５】本発明の実施例に係る伝送を示す図
【図６】本発明の実施例に係る伝送リンクの類型を確定するシステムの構成を示す図
【図７】本発明の実施例に係るＤ２Ｄ受信端末の第１種の構成を示す図
【図８】本発明の実施例に係るネットワーク側装置の第１種の構成を示す図
【図９】本発明の実施例に係るＤ２Ｄ受信端末の第２種の構成を示す図
【図１０】本発明の実施例に係るネットワーク側装置の第２種の構成を示す図
【発明を実施するための形態】
【００６０】
本発明の実施例の目的、技術案および利点をより明らかにするために、以下、本発明の実施例に係る図面を参照し、本発明の実施例に係る技術案に対し明確、完全な記述を行うが、当然なことに、記述される実施例は本発明の実施例の一部に過ぎず、すべての実施例ではない。本発明に係る実施例に基づき、当業者が創造的な労働を要しないことを前提に得られたすべての他の実施例は、いずれも本発明の保護の範囲に属す。
【００６１】
本発明の実施例においてＤ２Ｄ受信端末はネットワーク側装置にＮ２Ｄリンク上の第１資源占有リクェストを報知し、ネットワーク側設備が第１資源占有リクェストを受信した後に、Ｄ２Ｄ受信端末のサブフレームｎにおける伝送リンクの類型を確定するように；Ｄ２Ｄ受信端末はサブフレームｎの類型または受信したリンク類型指示情報に基づき、フレームｎにおける伝送リンクの類型を確定し、そのうちサブフレームｎはＤ２Ｄサブフレームである。Ｄ２Ｄ受信端末及びネットワーク側装置はそれぞれＤ２Ｄサブフレーム上の伝送リンクの類型を確定することができるため、Ｄ２Ｄ受信装置がＤ２Ｄリンク及びＮ２Ｄリンクの送/受信を行う必要が発生した際に、確定されたＤ２Ｄサブフレーム上の伝送リンクの類型に応じて伝送方式を確定することができ、Ｄ２Ｄリンクの受信端におけるＤ２Ｄリンク及びＮ２Ｄリンクの送/受信二重化を解決する案を提供し、システムの資源利用率及びシステム性能を向上する。
【００６２】
本発明の実施例に係るＤ２Ｄリンクはデバイスツーデバイスの直接通信リンク（Ｄｅｖｉｃｅ-ｔｏ-Ｄｅｖｉｃｅ Ｌｉｎｋ）であり；Ｎ２Ｄリンクはネットワークツーデバイスの直接通信リンク（Ｎｅｔｗｏｒｋ-ｔｏ-Ｄｅｖｉｃｅ Ｌｉｎｋ）であり、具体的には図２を参照して良い。
【００６３】
図２を例に挙げると、ネットワーク側がＮ２Ｄリンクにおいてユーザ端末ＡにＤ２Ｄリンク上でデータの伝送を行うよう指示し、ユーザ端末Ａはネットワーク側装置からの指示を受けた後にＤ２Ｄリンクにおいてデータの伝送を行う。
【００６４】
ネットワーク側はＮ２Ｄリンクにおいてユーザ端末ＢにＤ２Ｄリンク上でデータを伝送するよう指示し、ユーザ端末Ｂはネットワーク側装置からの指示を受けた後にＤ２Ｄリンクにおいてデータの伝送を行う。
【００６５】
説明すべきは、図２においては２台のＵＥがＤ２Ｄ伝送を行うものであり、必要に応じては複数のＵＥが伝送を行っても良く、例えば、１つのＵＥが送信し、複数のＵＥが受信する。
【００６６】
実施において、本発明の実施例はＤ２Ｄ通信を行うの端末にとって、図5に示すように、Ｄ２Ｄサブフレームの前で、Ｄ２Ｄ受信端末がセルラ通信（Ｎ２Ｄ ｌｉｎｋ）上において第１資源占有リクェストを報知し、Ｄ２Ｄ送信端末はＤ２Ｄリンク上において第２資源占有リクェストを報知することができる。
【００６７】
本発明の実施例に係る第１資源占有リクェストはＬＴＥ／ＬＴＥ−Ａシステムでセルラネットワーク（Ｎ２Ｄ ｌｉｎｋ）通信のリスケジューリングリクェスト（ＳｃｈｅｄｕｌｉｎｇＲｅｑｕｅｓｔ、ＳＲ）/キャッシュ状態報告（ＢｕＦＦｅｒＳｔａｔｕｓＲｅｐｏｒｔ、ＢＳＲ）であって良く、第２資源占有リクェストはＤ２Ｄリンクに用いられるＳＲ／ＢＳＲであってよい。
【００６８】
そのうち、Ｎ２Ｄリンクに用いられるＳＲはネットワーク側がセルラ端末（ここではＤ２Ｄ端末であって良い）のために設定したものであり、端末にＮ２Ｄリンク上に上りデータ伝送用のＳＲ資源があるか否かを指示するのに用いられる。Ｎ２Ｄリンク上のＢＳＲ報知が表すのは、セルラ端末（本発明の実施例においてはＤ２Ｄ端末である）が基地局に報知する、現在端末がＮ２Ｄリンクで上り伝送するバッファ内のデータ量のサイズである。
【００６９】
そのうち、Ｄ２Ｄリンクに用いるＳＲは、ネットワークがＤ２Ｄ端末のために設定したＳＲ資源であり、Ｄ２Ｄ端末がＤ２Ｄリンク上でデータ伝送用のＳＲ資源があるか否かを基地局に通知するために用いられ、それはＮ２Ｄリンク上のＳＲ資源とともに存在することができる。Ｄ２Ｄリンクに用いるＢＳＲ報知が表すのは、Ｄ２Ｄ端末が基地局に報知する、現在Ｄ２Ｄ端末がＮ２Ｄリンクで伝送する必要があるバッファ（ＢｕＦＦｅｒ）内のデータ量のサイズである。
【００７０】
図３に示すように、本発明の実施例に係る伝送リンクの類型を確定する方法は、以下のステップを含む。
【００７１】
ステップ３０１において、Ｄ２Ｄ受信端末はネットワーク側装置へＮ２Ｄリンク上の第１資源占有リクェストを報知し、ネットワーク側装置に第１資源占有リクェストを受信した後に、Ｄ２Ｄ受信端末のサブフレームｎにおける伝送リンクの類型を確定させる。
【００７２】
ステップ３０２において、Ｄ２Ｄ受信端末はサブフレームｎの類型に基づき、または受信したネットワーク側装置からのリンク類型指示情報に基づき、サブフレームｎ上の伝送リンクの類型を確定し、ここでサブフレームｎはＤ２Ｄサブフレームである。
【００７３】
そのうち、Ｄ２Ｄ受信端末がサブフレームｎ上の伝送リンクの類型を確定する方法は多く、以下にいくつが例に挙げる。
【００７４】
方法１において、Ｄ２Ｄ受信端末はサブフレームｎの類型に基づき、サブフレームｎ上の伝送リンクの類型を確定する。
【００７５】
サブフレームｎがＮ２Ｄリンク中の物理下りリンク共有チャネル（ＰｈｙｓｉｃａｌＤｏｗｎｌｉｎｋＳｈａｒｅｄＣｈａｎｎｅｌ、ＰＤＳＣＨ）伝送に応じた肯定応答指令（AＣＫｎｏｗｌｅｄｇｅ、ＡＣＫ）/エラー応答指令（ＮｅｇａｔｉｖｅAＣＫｎｏｗｌｅｄｇｅ、ＮＡＣＫ）フィードバック情報を伝送する必要があるサブフレームである場合は、ユーザ端末は予めの設定に基づき、サブフレームｎ上の伝送リンクの類型がＤ２ＤリンクまたはＮ２Ｄリンクであると確定する。
【００７６】
サブフレームｎがＮ２Ｄリンク中のＰＤＳＣＨ伝送に応じたＡＣＫ/ＮＡＣＫフィードバック情報を伝送する必要のあるサブフレームである場合は、具体的にサブフレームｎにおいてＤ２Ｄリンクを伝送するかそれともＮ２Ｄリンクを伝送するかは、予めの設定に基づきプロトコル中の規定に従って確定しても良く、また予めの設定に基づきネットワーク側からの通知を受信し、ネットワーク側からの通知に基づいて確定しても良い。
【００７７】
方法１において、Ｄ２Ｄ受信端末はサブフレームｎ上の伝送リンクの類型がＤ２Ｄリンクと確定した後に、サブフレームｎ上においてＤ２Ｄ伝送を行う。すなわちＤ２Ｄ受信端末はＤ２Ｄリンクの受信を行う。好ましくは、Ｄ２Ｄ受信端末はサブフレームｎの後ろのＮ２Ｄリンクの伝送に用いられる上りサブフレームにおいて、Ｎ２Ｄリンク中のＰＤＳＣＨに対応するＡＣＫ／ＮＡＣＫフィードバック情報を伝送する。
【００７８】
方法２において、Ｄ２Ｄ受信端末はサブフレームｎ上の伝送リンクの類型がＮ２Ｄリンクと確定した後に、サブフレームｎにおいてＮ２Ｄリンク中のＰＤＳＣＨ伝送に対応するＡＣＫ／ＮＡＣＫフィードバック情報を伝送する。すなわちＤ２Ｄ受信端末はＤ２ＤサブフレームにおいてＮ２Ｄリンクの上りＡＣＫ／ＮＡＣＫの伝送を行い、Ｄ２ＤサブフレームにおいてＤ２Ｄリンクのデータを受信しない。好ましくは、Ｄ２Ｄリンクのデータは送信側からの再送の方法により取得する。
【００７９】
ＦＤＤシステムを例にして、Ｄ２Ｄ受信端末はサブフレーム1においてＰＤＳＣＨの伝送を受信すると、ＦＤＤシステム中のＨＡＲＱ時間系列関係に従って、サブフレーム５においてＡＣＫ／ＮＡＣＫフィードバック情報をフィードバックしなければならず、しかしサブフレーム５はＤ２Ｄ受信端末の受信用サブフレームである。方法１の方式によれば、Ｄ２Ｄ受信端末はサブフレーム５においてＤ２Ｄリンクの受信を行い、サブフレーム６においてはＰＤＳＣＨに対応するＡＣＫ／ＮＡＣＫのフィードバックを行う。上記の方法２の方式によれば、Ｄ２Ｄ受信端末はサブフレーム５において、ＰＤＳＣＨのＡＣＫ／ＮＡＣＫのフィードバックを行い、それはＰＵＣＣＨ（Ｐｈｙｓｉｃａｌ Ｕｐｌｉｎｋ Ｃｏｎｔｒｏｌ Ｃｈａｎｎｅ、物理上り制御チャネル）により伝送を行う。
【００８０】
時分割複信（Ｔｉｍｅｄ ｉｖｉｓｉｏｎ ｄｕｐｌｅｘ、ＴＤＤ）システムにとって、ＴＤＤの上りリンク（ＵＬ）/下りリンク（ＤＬ）サブフレームに応じてＰＤＳＣＨに対応するＡＣＫ／ＮＡＣＫフィードバック情報のサブフレームを確定する。
【００８１】
方法２において、Ｄ２Ｄ受信端末は受信したネットワーク側装置からのリンク類型指示情報に基づき、サブフレームｎ上の伝送リンクの類型を確定する。
【００８２】
そのうち、リンク類型指示情報はサブフレームｎにおいてＮ２Ｄリンクの物理上り共有チャネルＰＵＳＣＨ伝送を行うと指示するための指示情報である。
【００８３】
Ｄ２Ｄ受信端末はサブフレームｎ−ｋにおいてネットワーク側装置からのリンク類型指示情報を受信した場合には、サブフレームｎにおいてＮ２Ｄリンクを伝送すると確定する。
【００８４】
Ｄ２Ｄ受信端末はサブフレームｎ−ｋにおいてリンク類型指示情報を受信できなかった場合には、サブフレームｎにおいてＤ２Ｄリンクを伝送すると確定する。
【００８５】
ここでｋの値は必要に応じて設定することができる。ＬＴＥシステムを例にすると、好ましくは、周波数分割複信（ＦｒｅｑｕｅｎｃｙＤｉｖｉｓｉｏｎＤｕｐｌｅｘ、ＦＤＤ）において、ｋは4に固定しても良く、ＴＤＤにおいては上り下りのサブフレームの構成に関連し、ＴＤＤシステムにおいて、シグナリング指示とＤ２Ｄサブフレームとの間の対応関係は上りスケジューリング（ＵＬ ｇｒａｎｔ）とＰＵＳＣＨとの間の時間系列関係と一致し、具体的には３ＧＰＰ  ＴＳ３６．２１３プロトコルを参照すれば良く、ここでの説明は省略する。
【００８６】
以下に２つの実例をあげ、方法２について説明する。
【００８７】
実例１：
Ｄ２Ｄ受信端末のＮ２Ｄリンク上の半持続スケジューリング（Ｓｅｍｉ-ｐｅｒｓｉｓｔｅｎｔＳｃｈｅｄｕｌｉｎｇ、ＳＰＳ）のＰＵＳＣＨにとって、その伝送サブフレームは上位レイヤにより設定されるものである。１つの方法として、Ｄ２ＤサブフレームとＳＰＳのＰＵＳＣＨ伝送のサブフレームとを重ならないサブフレームに設定することである。もう１つの方法はＤ２ＤサブフレームとＳＰＳのＰＵＳＣＨ伝送のサブフレームとが重なる場合に対し、ＳＰＳのＰＵＳＣＨ再スケジューリングの過程を通じて指示を行うことができ、すなわちＳＰＳに対するＰＵＳＣＨを通じてＵＬ ｇｒａｎｔ指示を行う。
【００８８】
Ｄ２ＤサブフレームとＳＰＳのＰＵＳＣＨ伝送のサブフレームとが重なった場合、基地局はＤ２ＤサブフレームｎがＮ２ＤリンクにおいてＰＵＳＣＨ伝送を行うか否かを確定することができる。もしＮ２ＤリンクにおいてＰＵＳＣＨ伝送を行う場合には、サブフレームｎ−ｋにおいてＮ２Ｄリンク上のＰＵＳＣＨに対するＵＬ ｇｒａｎｔを送信しなければならず、Ｄ２Ｄ受信端末はサブフレームｎにおいてＰＵＳＣＨ伝送を行い、そうでない場合には、基地局はサブフレームｎ−ｋにおいてＮ２Ｄリンク上のＰＵＳＣＨに対しＵＬ ｇｒａｎｔを送信せず、Ｄ２Ｄ受信端末はサブフレームｎにおいてＤ２Ｄリンクの伝送を行う。
【００８９】
実例２：
Ｄ２Ｄ受信端末のＮ２Ｄリンク上のＰＨＩＣＨにおけるＡＣＫ／ＮＡＣＫがＰＵＳＣＨの再送を指示する手順にとって、ＬＴＥシステムにおいてＵＬ ＰＵＳＣＨの同期/非同期の再送方式をサポートするため、同期の再送は受信されたＰＨＩＣＨの指示により、固定のサブフレームのシフト後に再送を行う。非同期の再送方式に関しては、ＵＬ ｇｒａｎｔにより再送のスケジュールを行い、新データ指示（ＮｅｗＤａｔａＩｎｄｉｃａｔｏｒ、ＮＤＩ）により現在のＰＵＳＣＨが再送パケットであるか否かを示し、この場合、対応のＰＨＩＣＨがフィードバックしたのがＡＣＫ／ＮＡＣＫであるかは構わない。
【００９０】
ＰＨＩＣＨが示したＰＵＳＣＨ再送のサブフレームとＤ２Ｄサブフレームとが重なる場合には、基地局はＤ２ＤサブフレームｎがＮ２ＤリンクにおいてＰＵＳＣＨの再送を行うか否かを確定することが出来る。もしＮ２ＤリンクにおいてＰＵＳＣＨ再送を行う場合には、サブフレームｎ−ｋにおいてＮ２Ｄリンク上のＰＵＳＣＨに対しＵＬ ｇｒａｎｔを送信しなければならず、Ｄ２Ｄ受信端末はサブフレームｎにおいてＰＵＳＣＨ伝送を行い、そうでない場合には、基地局はサブフレームｎ−ｋにおいてＮ２Ｄリンク上のＰＵＳＣＨに対しＵＬ ｇｒａｎｔを送信せず、Ｄ２Ｄ受信端末はサブフレームｎにおいてＤ２Ｄリンクの伝送を行う。
【００９１】
方法３において、方法３は方法１と方法２との結合である。すなわち、Ｄ２Ｄ受信端末がサブフレームｎ−ｋにおいてネットワーク側装置からの、サブフレームｎにおいてＮ２ＤリンクのＰＵＳＣＨ伝送を行うと指示するための指示情報を受信し、サブフレームｎがＮ２Ｄリンク上のＰＤＳＣＨ伝送に対応するＡＣＫ／ＮＡＣＫフィードバック情報を伝送するためのサブフレームであれば、この場合、いずれの状況のみを執行すると予め設定しても良い。例えば上記方法３の状況が現れた場合、方法１または方法２のみに従っても良い。あるいはネットワーク側からＤ２Ｄ受信端末に方法１または方法２を採用するよう通知しても良い。あるいはＤ２Ｄ受信端末によりＡＣＫ／ＮＡＣＫフィードバック情報の優先順位とＰＵＳＣＨ伝送サービスの優先順位とを比較し、ＰＵＳＣＨ伝送サービスの優先順位が高ければ、方法２を採用し、逆であれば、方法１を採用する。優先順位はプロトコルで設定しても良く、ネットワーク側から通知しても良い。
【００９２】
図4に示すように、本発明の実施例に係る伝送リンクの類型を確定する方法は以下のステップを含む。
【００９３】
ステップ４０１において、ネットワーク側装置はＤ２Ｄ受信端末から報知されたＮ２Ｄリンク上の第１資源占有リクェストに基づき、Ｄ２Ｄ受信端末がＮ２Ｄリンク上においてデータ伝送リクェストがあると確定する。
【００９４】
ステップ４０２において、ネットワーク側装置はＤ２Ｄ受信端末がＮ２Ｄリンク上においてデータ伝送リクェストがあると確定した後に、Ｄ２Ｄ受信端末のサブフレームｎにおける伝送リンクの類型を確定し、ここでサブフレームｎはＤ２Ｄサブフレームである。
【００９５】
第１資源占有リクェストは、送信端がＮ２Ｄリンク上で伝送しなければならないデータがあることを表すリクェスト情報であるため、ネットワーク側装置は第１資源占有リクェストに基づき、Ｄ２Ｄ受信端末がＮ２Ｄリンク上でデータ伝送リクェストがあると確定することができる。
【００９６】
ここで、ネットワーク側装置は、Ｄ２Ｄ受信端末のサブフレームｎにおける伝送リンクの類型を確定する方法は多く、以下にいくつか挙げる。
【００９７】
方法１において、ネットワーク側装置はサブフレームｎがＮ２Ｄリンク中のＰＤＳＣＨ伝送に対応するＡＣＫ／ＮＡＣＫフィードバック情報を伝送する必要のあるサブフレームであると確定した後に、Ｄ２Ｄ受信端末がサブフレームｎにおいてＤ２Ｄリンクを伝送するかまたはＮ２Ｄリンクを伝送すると確定する。
【００９８】
サブフレームｎがＮ２Ｄリンク中のＰＤＳＣＨ伝送に応じたＡＣＫ/ＮＡＣＫフィードバック情報を伝送する必要のあるサブフレームである場合は、具体的にサブフレームｎにおいてＤ２Ｄリンクを伝送するかそれともＮ２Ｄリンクを伝送するかは、予めプロトコルにおいて規定しても良く、または予めネットワーク側が確定してからユーザ端末に通知しても良い。
【００９９】
方法１において、Ｄ２Ｄ受信端末がサブフレームｎにおいてＤ２Ｄリンクを伝送するとネットワーク側装置が確定すると、ネットワーク側装置はサブフレームｎの後ろのＮ２Ｄリンク伝送に用いられる上りサブフレームにおいて、Ｄ２Ｄ受信端末からのＮ２Ｄリンク中のＰＤＳＣＨに対応するＡＣＫ／ＮＡＣＫフィードバック情報を受信する。
【０１００】
方法２において、Ｄ２Ｄ受信端末がサブフレームｎにおいてＮ２Ｄリンクを伝送するとネットワーク側装置が確定すると、ネットワーク側装置はサブフレームｎにおいて、Ｄ２Ｄ受信端末からのＮ２Ｄリンク中のＰＤＳＣＨ伝送に対応するＡＣＫ／ＮＡＣＫフィードバック情報を受信する。
【０１０１】
方法２において、ネットワーク側装置は第１資源占有リクェストに基づき、サブフレームｎがＮ２ＤリンクのＰＵＳＣＨ伝送を行わなければならないと確定し、サービス優先順位や予めの設定に基づき、Ｄ２Ｄ受信端末がサブフレームｎにおいてＮ２Ｄリンクを伝送するかまたはＤ２Ｄリンクを伝送するかを確定する。
【０１０２】
もしネットワーク側装置が予めの設定に基づき、ユーザ端末がサブフレームｎにおいてＤ２Ｄリンクを伝送するかそれともＮ２Ｄリンクを伝送するかを確定するなら、予めの設定に基づきプロトコル中の規定に従って確定しても良く、あるいは予めの設定に基づきネットワーク側装置自体が確定してからユーザ端末に通知しても良い。
【０１０３】
もしネットワーク側装置がサービス優先順位に基づき、ユーザ端末がサブフレームｎにおいてＤ２Ｄリンクを伝送するかそれともＮ２Ｄリンクを伝送するかを確定するなら、好ましい方法は以下のようである。
【０１０４】
ネットワーク側装置はＮ２ＤリンクのＰＵＳＣＨ伝送サービスに対応する第１優先順位がＤ２Ｄリンク伝送サービスに対応する第２優先順位以上であるか否かを判断し、ここで第１優先順位はネットワーク側装置が第１資源占有リクェストに基づいて確定したものであり、第２優先順位はネットワーク側装置がＤ２Ｄ送信端末から報知されたＤ２Ｄリンク上の第２資源占有リクェストに基づいて確定したものである。
【０１０５】
そうであれば、Ｄ２Ｄ受信端末がサブフレームｎにおいてＮ２Ｄリンクを伝送すると確定し、そうでなければ、Ｄ２Ｄ受信端末がサブフレームにおいてＤ２Ｄリンクを伝送すると確定する。
【０１０６】
説明すべきは、本発明の実施例において、サブフレームｎがＮ２ＤリンクのＰＵＳＣＨ伝送を行う必要がある際に、ネットワーク側装置が具体的にサブフレームｎにおいてＤ２Ｄリンクを伝送するかそれともＮ２Ｄリンクを伝送するかを確定することは、上記優先順位の方法に限定されるものではなく、その他にネットワーク側装置が具体的にサブフレームｎにおいてＤ２Ｄリンクを伝送するかそれともＮ２Ｄリンクを伝送するかを確定できるいずれの方法はいずれも本発明の実施例に適用する。
【０１０７】
好ましくは、Ｄ２Ｄ受信端末がサブフレームｎにおいてＮ２Ｄリンクを伝送するとネットワーク側装置が確定すると、ネットワーク側装置はサブフレームｎ−ｋにおいて、Ｄ２Ｄ受信端末へサブフレームｎにおいてＮ２ＤリンクのＰＵＳＣＨ伝送を行うと指示するための指示情報を送信する。
【０１０８】
ここでｋの値は必要に応じて設定することができる。ＬＴＥシステムを例にすると、好ましくは、ＦＤＤにおいてｋは4に固定しても良く、ＴＤＤにおいては上り下りのサブフレームの構成に関連し、ＴＤＤシステムにおいて、シグナリング指示とＤ２Ｄサブフレームとの間の対応関係はＵＬ ｇｒａｎｔとＰＵＳＣＨとの間の時間系列関係と一致し、具体的には３ＧＰＰ  ＴＳ３６．２１３プロトコルを参照すれば良く、ここでの説明は省略する。
【０１０９】
好ましくは、Ｄ２Ｄ受信端末がサブフレームｎにおいてＮ２Ｄリンクを伝送するとネットワーク側装置が確定すると、ネットワーク側装置はサブフレームｎにおいてＤ２Ｄ受信端末からのＰＵＳＣＨを受信する。
【０１１０】
以下に２つの実例をあげ、方法２について説明する。
【０１１１】
実例１：
Ｄ２Ｄ受信端末のＮ２Ｄリンク上の半持続スケジューリング（ＳＰＳ）のＰＵＳＣＨにとって、その伝送サブフレームは上位レイヤにより設定されるものである。１つの方法として、Ｄ２ＤサブフレームとＳＰＳのＰＵＳＣＨ伝送のサブフレームとを重ならないサブフレームに設定することである。もう１つの方法はＤ２ＤサブフレームとＳＰＳのＰＵＳＣＨ伝送のサブフレームとが重なる場合に対し、ＳＰＳのＰＵＳＣＨ再スケジューリングの過程を通じて指示を行うことができ、すなわちＳＰＳに対するＰＵＳＣＨを通じてＵＬ ｇｒａｎｔ指示を行う。
【０１１２】
Ｄ２ＤサブフレームとＳＰＳのＰＵＳＣＨ伝送のサブフレームとが重なった場合、基地局はＤ２ＤサブフレームｎがＮ２ＤリンクにおいてＰＵＳＣＨ伝送を行うか否かを確定することができる。もしＮ２ＤリンクにおいてＰＵＳＣＨ伝送を行う場合には、サブフレームｎ−ｋにおいてＮ２Ｄリンク上のＰＵＳＣＨに対するＵＬ ｇｒａｎｔを送信する必要があり、そうでない場合には、基地局はサブフレームｎ−ｋにおいてＮ２Ｄリンク上のＰＵＳＣＨに対しＵＬ ｇｒａｎｔを送信する。
【０１１３】
実例２：
Ｄ２Ｄ受信端末のＮ２Ｄリンク上のＰＨＩＣＨにおけるＡＣＫ／ＮＡＣＫがＰＵＳＣＨの再送を指示する手順にとって、ＬＴＥシステムにおいてＵＬ ＰＵＳＣＨの同期/非同期の再送方式をサポートするため、同期の再送は受信されたＰＨＩＣＨの指示により、固定のサブフレームのシフト後に再送を行う。非同期の再送方式に関しては、ＵＬ ｇｒａｎｔにより再送のスケジュールを行い、ＮＤＩにより現在のＰＵＳＣＨが再送パケットであるか否かを示し、この場合、対応のＰＨＩＣＨがフィードバックしたのがＡＣＫ／ＮＡＣＫであるかは構わない。
【０１１４】
ＰＨＩＣＨが示したＰＵＳＣＨ再送のサブフレームとＤ２Ｄサブフレームとが重なる場合には、基地局はＤ２ＤサブフレームｎがＮ２ＤリンクにおいてＰＵＳＣＨの再送を行うか否かを確定することが出来る。もしＮ２ＤリンクにおいてＰＵＳＣＨ再送を行う場合には、サブフレームｎ−ｋにおいてＮ２Ｄリンク上のＰＵＳＣＨに対するＵＬ ｇｒａｎｔを送信する必要があり、そうでない場合には、基地局はサブフレームｎ−ｋにおいてＮ２Ｄリンク上のＰＵＳＣＨに対しＵＬ ｇｒａｎｔを送信しない。
【０１１５】
方法３において、方法３は方法１と方法２との結合である。すなわちサブフレームｎはＮ２ＤリンクのＰＵＳＣＨ伝送を行う必要があり、なおサブフレームｎはＮ２Ｄリンク上のＰＤＳＣＨ伝送に対応するＡＣＫ／ＮＡＣＫフィードバック情報を伝送する必要のあるサブフレームであれば、この場合、いずれの状況のみを執行すると予め設定すれば良い。例えば上記方法３の状況が現れた場合、方法１または方法２のみに従って良い。あるいはネットワーク側からいずれの方法を採用するかを確定（例えばランダム確定、優先順位方式確定）しＤ２Ｄ受信端末に通知しても良い。あるいはネットワーク側によりＡＣＫ／ＮＡＣＫフィードバック情報の優先順位とＰＵＳＣＨ伝送サービスの優先順位とを比較し、ＰＵＳＣＨ伝送サービスの優先順位が高ければ、方法２を採用し、逆であれば、方法１を採用する（もしＤ２Ｄ受信端末も優先順位方式を用い確定するなら、ネットワーク側装置はＤ２Ｄ受信端末に通知しなくても良い）。優先順位はプロトコルで設定しても良く、ネットワーク側から確定してからＤ２Ｄ受信端末に通知しても良い。
【０１１６】
本発明の実施例に係るネットワーク側装置は基地局（例えばマクロ基地局やホーム基地局等）であっても良く、ＲＮ（中継）装置であっても良く、その他のネットワーク側装置であっても良い。
【０１１７】
ここで、図３及び図４を１つのフローに合わせられ、伝送リンクの類型を確定する１つの方法を形成しても良い。すなわち先にステップ３０１を実行し、それからステップ４０１及びステップ４０２を実行する。異なるアプリケーションに応じて、ステップ３０２、ステップ４０１及びステップ４０２の時間系列関係を異ならせても良く、例えば上記方法１を採用する場合には、ステップ３０２がステップ３０１の後にあることのみを確保すれば良く、上記方法２を採用する場合には、ステップ３０２がステップ４０２の後にあることのみを確保すれば良い。
【０１１８】
同じ発明思想に基づき、本発明に係る実施例ではさらに伝送リンクの類型を確定するシステム、Ｄ２Ｄ受信端末及びネットワーク側装置を提供し、これらの装置が課題を解決するための原理は本発明の実施例に係る方法に似通っているため、これら装置の実施は方法の実施を参照すれば良く、重複する箇所は説明を省略する。
【０１１９】
Ｄ２Ｄ受信端末６０は、ネットワーク側装置にＮ２Ｄリンク上の第1資源占有リクェストを報知し、ネットワーク側装置が第１資源占有リクェストを受信した後に、Ｄ２Ｄ受信端末のサブフレームｎにおける伝送リンクの類型を確定するようにする。サブフレームｎの類型や受信したネットワーク側装置からのリンク類型の指示情報に基づいて、サブフレームｎ上の伝送リンクの類型を確定し、ここでサブフレームｎはＤ２Ｄサブフレームである。
【０１２０】
ネットワーク側装置６１は、Ｄ２Ｄ受信端末から報知されたＮ２Ｄリンク上の第１資源占有リクェストに基づき、Ｄ２Ｄ受信端末がＮ２Ｄリンク上においてデータ伝送リクェストがあると確定する。Ｄ２Ｄ受信端末がＮ２Ｄリンク上においてデータ伝送リクェストがあると確定された後に、Ｄ２Ｄ受信端末のサブフレームｎにおける伝送リンクの類型を確定する。
【０１２１】
図７に示すように、本発明の実施例に係るＤ２Ｄ受信端末は、報知モジュール７００及び第１確定モジュール７１０を含む。
【０１２２】
報知モジュール７００は、ネットワーク側装置にＮ２Ｄリンク上の第１資源占有リクェストを報知し、ネットワーク側装置が第１資源占有リクェストを受信した後に、Ｄ２Ｄ受信端末のサブフレームｎにおける伝送リンクの類型を確定するようにする。
【０１２３】
第１確定モジュール７１０は、サブフレームｎの類型に応じて、または受信したネットワーク側装置からのリンク類型の指示情報に基づき、サブフレームｎ上の伝送リンクの類型を確定し、ここでサブフレームｎはＤ２Ｄサブフレームである。
【０１２４】
好ましくは、第１確定モジュール７１０は具体的に以下のように用いられる。
【０１２５】
もしサブフレームｎがＤ２Ｄリンク中のＰＤＳＣＨ伝送に対応するＡＣＫ／ＮＡＣＫフィードバック情報を伝送する必要のあるサブフレームである場合は、予めの設定により、サブフレームｎ上の伝送リンクの類型がＤ２ＤリンクまたはＮ２Ｄリンクであると確定する。
【０１２６】
好ましくは、第１確定モジュール７１０はさらに以下のように用いられる。
【０１２７】
サブフレームｎ上の伝送リンクの類型がＤ２Ｄリンクであると確定した後に、サブフレームｎ上においてＤ２Ｄ伝送を行う。または、サブフレームｎ上の伝送リンクの類型がＮ２Ｄリンクであると確定した後に、サブフレームｎにおいてＮ２ＤリンクのＰＤＳＣＨ伝送に対応するＡＣＫ／ＮＡＣＫフィードバック情報を伝送する。
【０１２８】
好ましくは、第１確定モジュール７１０はさらに以下のように用いられる。
【０１２９】
サブフレームｎにおいてＤ２Ｄ伝送を行った後、サブフレームｎの後ろのＮ２Ｄリンク伝送に用いられる上りサブフレームにおいて、Ｎ２Ｄ伝送リンク中のＰＤＳＣＨに対応するＡＣＫ／ＮＡＣＫフィードバック情報を伝送する。
【０１３０】
好ましくは、リンク類型の指示情報はサブフレームｎにおいてＮ２Ｄリンクの物理上り共有チャネルＰＵＳＣＨ伝送を行うと指示するための指示情報である。
【０１３１】
第１確定モジュール７１０は具体的に以下のように用いられる。
【０１３２】
サブフレームｎ−ｋにおいてネットワーク側装置からのリンク類型指示情報を受信した後に、サブフレームｎにおいてＮ２Ｄリンクを伝送すると確定する。
【０１３３】
好ましくは、第１確定モジュール７１０はさらに以下のように用いられる。
【０１３４】
サブフレームｎにおける伝送リンクの類型がＮ２Ｄリンクであると確定した後に、サブフレームｎにおいてＮ２ＤリンクのＰＵＳＣＨ伝送を行う。
【０１３５】
図8に示すように、本発明の実施例に係るネットワーク側装置は、受信モジュール８００および第２確定モジュール８１０を含む。
【０１３６】
受信モジュール８００は、Ｄ２Ｄ受信端末から報知されたＮ２Ｄリンク上の第１資源占有リクェストに基づき、Ｄ２Ｄ受信端末がＮ２Ｄリンクにおいてデータ伝送リクェストがあると確定する。
【０１３７】
第２確定モジュール８１０は、Ｄ２Ｄ受信端末がＮ２Ｄリンク上でデータ伝送リクェストがあると確定された後に、Ｄ２Ｄ受信端末のサブフレームｎにおける伝送リンクの類型を確定し、ここでサブフレームｎはＤ２Ｄサブフレームである。
【０１３８】
好ましくは、第２確定モジュール８１０は具体的には以下のように用いられる。
【０１３９】
サブフレームｎがＮ２Ｄリンク中のＰＤＳＣＨ伝送に対応するＡＣＫ／ＮＡＣＫフィードバック情報を伝送する必要のあるサブフレームであると確定した後に、Ｄ２Ｄ受信端末がサブフレームｎにおいてＤ２Ｄリンクを伝送するかまたはＮ２Ｄリンクを伝送すると確定する。
【０１４０】
好ましくは、第２確定モジュール８１０はさらに以下のように用いられる。
【０１４１】
もしＤ２Ｄ受信端末がサブフレームｎにおいてＤ２Ｄリンクを伝送すると確定すると、サブフレームｎの後ろのＮ２Ｄリンク伝送に用いられる上りサブフレームにおいて、Ｄ２Ｄ受信端末からのＮ２Ｄリンク中のＰＤＳＣＨに対応するＡＣＫ／ＮＡＣＫフィードバック情報を受信する。もしＤ２Ｄ受信端末がサブフレームｎにおいてＮ２Ｄリンクを伝送すると確定すると、前記サブフレームｎにおいて、Ｄ２Ｄ受信端末からのＮ２Ｄリンク中のＰＤＳＣＨに対応するＡＣＫ／ＮＡＣＫフィードバック情報を受信する。
【０１４２】
好ましくは、第２確定モジュール８１０は具体的には以下のように用いられる。
【０１４３】
第１資源占有リクェストに基づき、サブフレームｎがＮ２ＤリンクのＰＵＳＣＨ伝送を行う必要があると確定し、サービス優先順位や予めの設定に基づき、Ｄ２Ｄ受信端末がサブフレームｎにおいてＮ２Ｄリンクを伝送するかまたはリンクＤ２Ｄリンクを伝送するかを確定する。
【０１４４】
好ましくは、第２確定モジュール８１０は具体的には以下のように用いられる。
【０１４５】
Ｎ２ＤリンクのＰＵＳＣＨ伝送サービスに対応する第１優先順位がＤ２Ｄリンク伝送サービスに対応する第２優先順位以上であるか否かを判断する。ここで、第１優先順位はネットワーク側装置が第１資源占有リクェストに基づいて確定したものであり、第２優先順位はネットワーク側装置がＤ２Ｄ送信端末から報知されたＤ２Ｄリンク上の第２資源占有リクェストに基づいて確定したものである。
【０１４６】
そうである場合には、Ｄ２Ｄ受信端末はサブフレームｎにおいてＮ２Ｄリンクを伝送すると確定し、そうでない場合には、Ｄ２Ｄ受信端末がサブフレームｎにおいてＤ２Ｄリンクを伝送すると確定する。
【０１４７】
好ましくは、第２確定モジュール８１０はさらに以下のように用いられる。
【０１４８】
Ｄ２Ｄ受信端末がサブフレームｎにおいてＮ２Ｄリンクを伝送すると確定した場合には、サブフレームｎ−ｋにおいてＤ２Ｄ受信端末へ、サブフレームｎにおいてＮ２ＤリンクのＰＵＳＣＨ伝送を行うと指示するための指示情報を送信する。
【０１４９】
好ましくは、第２確定モジュール８１０はさらに以下のように用いられる。
【０１５０】
Ｄ２Ｄ受信端末がサブフレームｎにおいてＮ２Ｄリンクを伝送すると確定した場合には、サブフレームｎにおいてＤ２Ｄ受信端末からのＰＵＳＣＨを受信する。
【０１５１】
参照図９に示すように、本発明の実施例に係る伝送リンクの類型を確定するＤ２Ｄ受信端末は、送信ポート９０及び第１プロセッサ９１を含む。
【０１５２】
送信ポート９０は、ネットワーク側装置へＮ２Ｄリンク上の第１資源占有リクェストを報知し、ネットワーク側装置が第１資源占有リクェストを受信した後に、Ｄ２Ｄ受信端末のサブフレームｎにおける伝送リンクの類型を確定するようにする。
【０１５３】
第１プロセッサ９１は、サブフレームｎの類型にも投機、または受信したネットワーク側装置からのリンク種別の指示情報に基づき、サブフレームｎにおける伝送リンクの類型を確定し、ここでサブフレームｎはＤ２Ｄサブフレームである。
【０１５４】
第１プロセッサ９１は具体的には以下のように用いられる。
【０１５５】
サブフレームｎがＮ２Ｄリンク中のＰＤＳＣＨ伝送に対応するＡＣＫ／ＮＡＣＫフィードバック情報を伝送する必要のあるサブフレームである場合には、予めの設定に基づき、サブフレームｎにおける伝送リンクの類型がＤ２ＤリンクまたはＮ２Ｄリンクであると確定する。
【０１５６】
第１プロセッサ９１はさらに以下のように用いられる。
【０１５７】
サブフレームｎにおける伝送リンクの類型がＤ２Ｄリンクであると確定した後に、サブフレームｎにおいてＤ２Ｄ伝送を行う。または、サブフレームｎにおける伝送リンクの類型がＮ２Ｄリンクであると確定した後に、サブフレームｎにおいてＮ２Ｄリンク中のＰＤＳＣＨ伝送に対応するＡＣＫ／ＮＡＣＫフィードバック情報を伝送する。
【０１５８】
第１プロセッサ９１はさらに以下のように用いられる。
【０１５９】
サブフレームｎにおいてＤ２Ｄ伝送を行った後に、サブフレームｎの後ろのＮ２Ｄリンク伝送に用いられる上りサブフレームにおいて、Ｎ２Ｄリンク中のＰＤＳＣＨに対応するＡＣＫ／ＮＡＣＫフィードバック情報を伝送する。
【０１６０】
リンク類型の指示情報は、サブフレームｎにおいてＮ２Ｄリンクの物理上り共有チャネルＰＵＳＣＨ伝送を行うと指示するための指示情報である。
【０１６１】
第１プロセッサ９１は具体的には以下のように用いられる。
【０１６２】
サブフレームｎ−ｋにおいてネットワーク側装置からのリンク類型指示情報を受信した後に、サブフレームｎにおいてＮ２Ｄリンクを伝送すると確定する。
【０１６３】
第１プロセッサ９１はさらには以下のように用いられる。
【０１６４】
サブフレームｎにおける伝送リンクの類型がＮ２Ｄリンクであると確定した後に、サブフレームｎにおいてＮ２ＤリンクのＰＵＳＣＨ伝送を行う。
【０１６５】
図１０に示すように、本発明の実施例に係る伝送リンクの類型を確定するネットワーク側装置は、受信ポート１０００及び第２プロセッサ１０１０を含む。
【０１６６】
受信ポート１０００は、Ｄ２Ｄ受信端末から報知されたＮ２Ｄリンク上の第１資源占有リクェストに基づき、Ｄ２Ｄ受信端末がＮ２Ｄリンクにおいてデータ伝送リクェストがあると確定する。
【０１６７】
第２プロセッサ１０１０は、Ｄ２Ｄ受信端末がＮ２Ｄリンク上でデータ伝送リクェストがあると確定された後に、Ｄ２Ｄ受信端末のサブフレームｎにおける伝送リンクの類型を確定し、ここでサブフレームｎはＤ２Ｄサブフレームである。
【０１６８】
第２プロセッサ１０１０は具体的には以下のように用いられる。
【０１６９】
サブフレームｎがＤ２Ｄリンク中のＰＤＳＣＨ伝送に対応するＡＣＫ／ＮＡＣＫフィードバック情報を伝送する必要のあるサブフレームであると確定された後、Ｄ２Ｄ受信端末はサブフレームｎにおいてＤ２Ｄリンクを伝送するかまたはＮ２Ｄリンクを伝送すると確定する。
【０１７０】
第２プロセッサ１０１０はさらに以下のように用いられる。
【０１７１】
Ｄ２Ｄ受信端末がサブフレームｎにおいてＤ２Ｄリンクを伝送すると確定した場合には、サブフレームｎの後ろのＮ２Ｄリンク伝送に用いられる上りサブフレームにおいて、Ｄ２Ｄ受信端末からのＮ２Ｄリンク中のＰＤＳＣＨに対応するＡＣＫ／ＮＡＣＫフィードバック情報を受信する。または、Ｄ２Ｄ受信端末がサブフレームｎにおいてＮ２Ｄリンクを伝送すると確定した場合には、サブフレームｎにおいて、Ｄ２Ｄ受信端末からのＮ２Ｄリンク中のＰＤＳＣＨに対応するＡＣＫ／ＮＡＣＫフィードバック情報を受信する。
【０１７２】
第２プロセッサ１０１０は具体的には以下のように用いられる。
【０１７３】
第１資源占有リクェストに基づき、サブフレームｎはＮ２ＤリンクのＰＵＳＣＨ伝送を行う必要があると確定し、サービス優先順位や予めの設定に基づき、Ｄ２Ｄ受信端末がサブフレームｎにおいてＮ２Ｄリンクを伝送するかまたはＤ２Ｄリンクを伝送すると確定する。
【０１７４】
第６形態の第３種の可能な実現方法を結合し、第４種の実現方法において、第２プロセッサは具体的には以下のように用いられる。
【０１７５】
Ｎ２ＤリンクのＰＵＳＣＨ伝送サービスに対応する第１優先順位がＤ２Ｄリンク伝送サービスに対応する第２優先順位以上であるか否かを判断し、ここで第１優先順位はネットワーク側装置が第１資源占有リクェストに基づいて確定したものであり、第２優先順位はネットワーク側装置がＤ２Ｄ送信端末から報知されたＤ２Ｄリンク上の第２資源占有リクェストに基づいて確定したものである。
【０１７６】
そうであれば、Ｄ２Ｄ受信端末がサブフレームｎにおいてＮ２Ｄリンクを伝送すると確定し、そうでなければ、Ｄ２Ｄ受信端末がサブフレームｎにおいてＤ２Ｄリンクを伝送すると確定する。
【０１７７】
第６形態の第３種の可能な実現方法を結合し、第５種の実現方法において、第２プロセッサはさらに以下のように用いられる。
【０１７８】
Ｄ２Ｄ受信端末がサブフレームｎにおいてＮ２Ｄリンクを伝送すると確定した場合には、サブフレームｎ−ｋにおいて、Ｄ２Ｄ受信端末へサブフレームｎにおいてＮ２ＤリンクのＰＵＳＣＨ伝送を行うと指示するための指示情報を送信する。
【０１７９】
第６形態または第６形態の上記いずれかの可能な実現方法を結合し、第６種の実現方法において、第２プロセッサはさらに以下のように用いられる。
【０１８０】
Ｄ２Ｄ受信端末がサブフレームｎにおいてＮ２Ｄリンクを伝送すると確定した場合には、サブフレームｎにおいてＤ２Ｄ受信端末からのＰＵＳＣＨを受信する。
【０１８１】
本分野の技術者は、本発明の実施例は方法、システム、またはコンピュータ・プログラム製品により提供可能ということを理解すべきである。従って、本発明は完全なハードウェア実施例、完全なソフトウェア実施例、またはソフトウェア及びハードウェア方面を結合した実施例の形態を採用することができる。なお、本発明は１つまたは複数のコンピュータ実行可能プログラムコードを含むコンピュータ利用可能記憶媒体（磁気ディスクメモリ、ＣＤ−ＲＯＭ、光記憶メモリなどを含み、これらに限定されない）において実施される、コンピュータプログラム製品の形態を採用することができる。
【０１８２】
本発明は、本発明の実施例に係る方法、装置（システム）、及びコンピュータ・プログラムのフローチャートおよび/またはブロック図を参照して説明したものである。理解すべきは、コンピュータプログラムコマンドによりフローチャートおよび／またはブロック図中の各フロー及び/又はブロック、およびフローチャートおよび／またはブロック中のフロー及び/又はブロックの結合を実現することができる。これらのコンピュータプログラムコマンドを、汎用コンピュータ、専用コンピュータ、組み込み式プロセッサまたはその他のプログラマブルデータ処理装置のプロセッサに提供し１つの機器を生成することができ、コンピュータやその他のプログラマブルデータ処理装置のプロセッサによって実行される指令によりフローチャート中の１つのフローまたは複数のフロー及び/又はブロック図中の１つのブロック又は複数のブロックにおいて指定された機能を実現するための装置を生成する。
【０１８３】
これらのコンピュータプログラムコマンドはコンピュータやその他のプログラマブルデータ処理装置を特定の方式で動作させることができるコンピュータ読み取可能メモリに保存し、コンピュータ読み取可能メモリ中のコマンドによりコマンド装置を含む製品を生成しても良い。該コマンド装置は、フローチャート中の１つのフローまたは複数のフロー及び/又はブロック図中の１つのブロック又は複数のブロックで指定された機能を実現する。
【０１８４】
これらのコンピュータプログラムコマンドはコンピュータやその他のプログラマブルデータ処理装置に保存し、コンピュータやその他のプログラマブルデータ処理装置において一連の操作手順を実行することによりコンピュータの実現する処理を生成させ、従ってコンピュータやその他のプログラマブルデータ処理装置において実行されるコマンドは、フローチャート中の１つのフローまたは複数のフロー及び/又はブロック図中の１つのブロック又は複数のブロックで指定された機能を実現するための手順を提供する。
【０１８５】
本発明の好ましい実施例について説明したが、当業者は一旦基本的な進歩性思想が分かると、これらの実施例に対し他の変更および修正を施すことが出来る。従って、添付の特許請求の範囲は好ましい実施例及び本発明の範囲に含まれるあらゆる変更や変形を説明することを意図している。
【０１８６】
もちろん、当業者は本発明に係る実施例に対し種々な変形及び変更を行うことができるが、ただし、本発明に係る実施例の要旨及び範囲を逸脱しないことを前提にする。このように、本発明に係る実施例に対するこれらの修正または変形が本発明の請求の範囲及びその均等な技術の範囲に属すれば、本発明はこれらの変更、変形をも含むことを意図している。
【図１Ａ】
2016522608.tif 000003
【図１Ｂ】
2016522608.tif 000004
【図２】
2016522608.tif 000005
【図３】
2016522608.tif 000006
【図４】
2016522608.tif 000007
【図５】
2016522608.tif 000008
【図６】
2016522608.tif 000009
【図７】
2016522608.tif 000010
【図８】
2016522608.tif 000011
【図９】
2016522608.tif 000012
【図１０】
2016522608.tif 000013
【手続補正書】
【提出日】平成27年11月4日(2015.11.4)
【手続補正１】
【補正対象書類名】特許請求の範囲
【補正対象項目名】全文
【補正方法】変更
【補正の内容】
【特許請求の範囲】
【請求項１】
デバイスツーデバイスのＤ２Ｄ受信端末はネットワークツーデバイスの直接通信リンクＮ２Ｄリンク上の第１資源占有リクェストをネットワーク側装置へ報知し、ネットワーク側装置が前記第１資源占有リクェストを受信した後に、Ｄ２Ｄ受信端末のサブフレームｎにおける伝送リンクの類型を確定するようにし、
前記Ｄ２Ｄ受信端末はサブフレームの類型に基づきまたは前記ネットワーク側装置から受信したリンク類型指示情報に基づき、サブフレームｎにおける伝送リンクの類型を確定し、ここでサブフレームｎはＤ２Ｄサブフレームである、ことを含むことを特徴とする伝送リンクの類型を確定する方法。
【請求項２】
前記Ｄ２Ｄ受信端末はサブフレームｎの類型に基づき、サブフレームｎ上の伝送リンクの類型を確定することは、もし前記サブフレームｎがネットワークツーデバイスの直接通信リンクＮ２Ｄリンク中の物理下り共有チャネルＰＤＳＣＨ伝送に対応した肯定応答指令ＡＣＫ／エラー応答指令ＮＡＣＫフィードバック情報を伝送する必要があるサブフレームである場合には、前記Ｄ２Ｄ受信端末は予めの設定に基づき、前記サブフレームｎ上の伝送リンクの類型がＤ２ＤリンクまたはＮ２Ｄリンクであると確定する、ことを含むことを特徴とする請求項１記載の伝送リンクの類型を確定する方法。
【請求項３】
前記Ｄ２Ｄ受信端末がサブフレームｎ上の伝送リンクの類型を確定した後に、さらに前記Ｄ２Ｄ受信端末は前記サブフレームｎ上の伝送リンクの類型がＤ２Ｄリンクであると確定した後に、前記サブフレームｎにおいてＤ２Ｄ伝送を行うか、または前記Ｄ２Ｄ受信端末は前記サブフレームｎ上の伝送リンクの類型がＮ２Ｄリンクであると確定した後に、前記サブフレームｎにおいてＮ２Ｄリンク中のＰＤＳＣＨ伝送に対応するＡＣＫ／ＮＡＣＫフィードバック情報を伝送する、ことを含むことを特徴とする請求項２記載の伝送リンクの類型を確定する方法。
【請求項４】
前記Ｄ２Ｄ受信端末がサブフレームｎにおいてＤ２Ｄ伝送を行った後に、さらに前記Ｄ２Ｄ受信端末は前記サブフレームｎの後ろのＮ２Ｄリンク伝送に用いられる上りサブフレームにおいて、Ｎ２Ｄリンク中のＰＤＳＣＨ伝送に対応するＡＣＫ／ＮＡＣＫフィードバック情報を伝送する、ことを含むことを特徴とする請求項２記載の伝送リンクの類型を確定する方法。
【請求項５】
前記リンク類型指示情報はサブフレームｎにおいてＮ２Ｄリンクの物理上り共有チャネルＰＵＳＣＨ伝送をスケジューリングするための指示情報であり、
前記Ｄ２Ｄ受信端末がサブフレームｎの類型に基づき、または前記ネットワーク側装置から受信したリンク類型指示情報に基づき、サブフレームｎにおける伝送リンクの類型を確定することは、前記Ｄ２Ｄ受信端末がサブフレームｎ−ｋにおいてネットワーク側装置からの前記リンク類型指示情報を受信した後に、サブレームｎにおいてＮ２Ｄリンクを伝送すると確定する、ことを含むことを特徴とする請求項１〜４のいずれかの１つに記載の伝送リンクの類型を確定する方法。
【請求項６】
ネットワーク側装置はＤ２Ｄ受信端末から報知されたＮ２Ｄリンク上の第１資源占有リクェストに基づき、Ｄ２Ｄ受信端末がＮ２Ｄリンクにおいてデータ伝送リクェストがあると確定し、
前記ネットワーク側装置はＤ２Ｄ受信端末がＮ２Ｄリンクにおいてデータ伝送リクェストがあると確定した後に、Ｄ２Ｄ受信端末のサブフレームｎにおける伝送リンクの類型を確定し、ここでサブフレームｎはＤ２Ｄサブフレームである、ことを含むことを特徴とする伝送リンクの類型を確定する方法。
【請求項７】
前記ネットワーク側装置がＤ２Ｄ受信端末のサブフレームｎにおける伝送リンクの類型を確定することは、前記ネットワーク側装置はサブフレームｎがＤ２Ｄリンク中のＰＤＳＣＨ伝送に対応するＡＣＫ／ＮＡＣＫフィードバック情報を伝送する必要があるサブフレームであると確定した後に、Ｄ２Ｄ受信端末がサブフレームｎにおいてＤ２Ｄリンクを伝送するかあるいはＮ２Ｄリンクを伝送すると確定する、ことを含むことを特徴とする請求項６記載の伝送リンクの類型を確定する方法。
【請求項８】
前記ネットワーク側装置がＤ２Ｄ受信端末のサブフレームｎにおける伝送リンクの類型を確定した後に、さらに、もし前記ネットワーク側装置がＤ２Ｄ受信端末はサブフレームｎにおいてＤ２Ｄリンクを伝送すると確定した場合には、前記ネットワーク側装置は前記サブフレームｎの後ろのＮ２Ｄリンク伝送に用いられる上りサブフレームにおいて、前記Ｄ２Ｄ受信端末からのＮ２Ｄリンク中のＰＤＳＣＨに対応するＡＣＫ／ＮＡＣＫフィードバック情報を受信し、あるいは、もし前記ネットワーク側装置がＤ２Ｄ受信端末はサブフレームｎにおいてＮ２Ｄリンクを伝送すると確定する場合には、前記ネットワーク側装置は前記サブフレームｎにおいて、前記Ｄ２Ｄ受信端末からのＮ２Ｄリンク中のＰＤＳＣＨに対応するＡＣＫ／ＮＡＣＫフィードバック情報を受信する、
ことを含むことを特徴とする請求項７記載の伝送リンクの類型を確定する方法。
【請求項９】
前記ネットワーク側装置がＤ２Ｄ受信端末のサブフレームｎにおける伝送リンクの類型を確定することは、前記ネットワーク側装置は第１資源占有リクェストに基づき、サブフレームｎにおいてＮ２ＤリンクのＰＵＳＣＨ伝送を行う必要があると確定し、前記ネットワーク側装置はサービス優先順位や予めの設定に基づき、前記Ｄ２Ｄ受信端末はサブフレームｎにおいてＮ２Ｄリンクを伝送するかまたはＤ２Ｄリンクを伝送すると確定する、ことを含むことを特徴とする請求項６記載の伝送リンクの類型を確定する方法。
【請求項１０】
前記ネットワーク側装置はサービス優先順位に基づき、前記Ｄ２Ｄ受信端末がサブフレームｎにおいてＮ２Ｄリンクを伝送するかまたはＤ２Ｄリンクを伝送すると確定することは、前記ネットワーク側装置はＮ２ＤリンクのＰＵＳＣＨ伝送サービスに対応する第１優先順位がＤ２Ｄリンク伝送サービスに対応する第２優先順位以上であるか否かを判断し、ここで前記第１優先順位は前記ネットワーク側装置が前記第１資源占有リクェストに基づいて確定したものであり、前記第２優先順位は前記ネットワーク側装置がＤ２Ｄ送信端末から報知されたＤ２Ｄリンク上の第２資源占有リクェストに基づいて確定したものであり、そうであれば、前記Ｄ２Ｄ受信端末がサブフレームｎにおいてＮ２Ｄリンクを伝送すると確定し、そうでなければ、前記Ｄ２Ｄ受信端末がサブフレームにおいてＤ２Ｄリンクを伝送すると確定する、ことを含むことを特徴とする請求項９記載の伝送リンクの類型を確定する方法。
【請求項１１】
前記ネットワーク側装置がＤ２Ｄ受信端末のサブフレームｎにおける伝送リンクの類型を確定した後に、さらに、もし前記ネットワーク側装置が前記Ｄ２Ｄ受信端末はサブフレームｎにおいてＮ２Ｄリンクを伝送すると確定した場合には、前記ネットワーク側装置はサブフレームｎ-ｋにおいて、前記Ｄ２Ｄ受信端末へサブフレームｎにおいてＮ２ＤリンクのＰＵＳＣＨ伝送をスケジューリングするための指示情報を送信する、ことを含むことを特徴とする請求項９記載の伝送リンクの類型を確定する方法。
【請求項１２】
ネットワーク側装置にＮ２Ｄリンクの第１資源占有リクェストを報知し、ネットワーク側装置が前記第１資源占有リクェストを受信した後に、Ｄ２Ｄ受信端末のサブフレームｎにおける伝送リンクの類型を確定させるようにする報知モジュールと、
サブフレームｎの類型に基づきまたは前記ネットワーク側装置から受信したリンク類型の指示情報に基づき、サブフレームｎにおける伝送リンクの類型を確定し、ここでサブフレームｎはＤ２Ｄサブフレームである第１確定モジュールと、
を含むことを特徴とする伝送リンクの類型を確定するＤ２Ｄ受信端末。
【請求項１３】
前記第１確定モジュールは具体的には、もしサブフレームｎがＤ２Ｄリンク中のＰＤＳＣＨ伝送に対応するＡＣＫ／ＮＡＣＫフィードバック情報を伝送する必要のあるサブフレームである場合には、予めの設定により、前記サブフレームｎにおける伝送リンクの類型がＤ２ＤリンクまたはＮ２Ｄリンクであると確定する、ことを特徴とする請求項１２記載のＤ２Ｄ受信端末。
【請求項１４】
前記第１確定モジュールは、さらに、前記サブフレームｎ上の伝送リンクの類型がＤ２Ｄリンクであると確定した後に、サブフレームｎにおいてＤ２Ｄ伝送を行い、または、前記サブフレームｎ上の伝送リンクの類型がＮ２Ｄリンクであると確定した後に、サブフレームｎにおいてＮ２Ｄリンク中のＰＤＳＣＨ伝送に対応するＡＣＫ／ＮＡＣＫフィードバック情報を伝送し、さらに、サブフレームｎにおいてＤ２Ｄ伝送を行った後に、前記サブフレームｎの後ろのＮ２Ｄリンク伝送に用いられる上りサブフレームにおいて、Ｎ２Ｄ伝送リンク中のＰＤＳＣＨに対応するＡＣＫ／ＮＡＣＫフィードバック情報を伝送する、ことを特徴とする請求項１３記載のＤ２Ｄ受信端末。
【請求項１５】
前記リンク類型の指示情報はサブフレームｎにおいてＮ２Ｄリンクの物理上り共有チャネルＰＵＳＣＨ伝送をスケジューリングするための指示情報であり、
前記第１確定モジュールは、サブフレームｎ−ｋにおいてネットワーク側装置からのリンク類型指示情報を受信した後に、サブフレームｎにおいてＮ２Ｄリンクを伝送すると確定する、ことを特徴とする請求項１２乃至１４の何れか１項に記載のＤ２Ｄ受信端末。
【国際調査報告】
2016522608.tif 000014
2016522608.tif 000015
2016522608.tif 000016
2016522608.tif 000017